(57)【要約】  基地局装置に、ユーザデータを含むNAS(Non-access stratum)メッセージと、ユーザデータの送信の完了を通知するために使用される情報と、を送信し、前記情報を送信した後、前記基地局装置から、RRC(Radio Resource Control)コネクションリリースメッセージを受信する、送受信部と、前記RRCコネクションリリースメッセージの受信に基づき、アイドル状態に遷移する制御部と、を備える。これにより、低頻度でスモールデータパケットを送信するマシン型通信を行うためのＰＤＮコネクションの確立及び通信制御方法を提供することとなる。
2017026465.tif 000002
【特許請求の範囲】
【請求項１】
端末装置であって、
基地局装置に、ユーザデータを含むNAS(Non-access stratum)メッセージと、ユーザデータの送信の完了を通知するために使用される情報と、を送信し、
前記情報を送信した後、前記基地局装置から、RRC(Radio Resource Control)コネクションリリースメッセージを受信する、送受信部と、
前記RRCコネクションリリースメッセージの受信に基づき、アイドル状態に遷移する制御部と、
を備えることを特徴とする端末装置。
【請求項２】
前記端末装置は、スモールデータの送信と、マシン型通信と、をサポートする、
ことを特徴とする請求項１に記載の端末装置。
【請求項３】
前記端末装置は、アクティブ状態のときに、前記NASメッセージを送信する、
ことを特徴とする請求項１又は２に記載の端末装置。
【請求項４】
基地局装置であって、
端末装置から、ユーザデータを含むNAS(Non-access stratum)メッセージと、ユーザデータの送信の完了を通知するために使用される情報と、を受信し、
前記NASメッセージを、コアネットワーク内に構成される前記端末装置の移動管理機能を有する装置に転送し、
前記情報を受信した後、前記端末装置に、RRC(Radio Resource Control)コネクションリリースメッセージを送信する、送受信部を備え、
前記RRCコネクションリリースメッセージは、前記端末装置がアイドル状態に遷移するために使用される、
ことを特徴とする基地局装置。
【請求項５】
前記端末装置は、スモールデータの送信と、マシン型通信と、をサポートする、
ことを特徴とする請求項４に記載の基地局装置。
【請求項６】
前記基地局装置は、アクティブ状態を維持している前記端末装置から、前記NASメッセージを受信する、
ことを特徴とする請求項４又は５に記載の基地局装置。
【請求項７】
端末装置の通信制御方法であって、
基地局装置に、ユーザデータを含むNAS(Non-access stratum)メッセージと、ユーザデータの送信の完了を通知するために使用される情報と、を送信するステップと、
前記情報を送信した後、前記基地局装置から、RRC(Radio Resource Control)コネクションリリースメッセージを受信するステップと、
前記RRCコネクションリリースメッセージの受信に基づき、アイドル状態に遷移するステップと、を備える、
ことを特徴とする端末装置の通信制御方法。
【請求項８】
前記端末装置は、スモールデータの送信と、マシン型通信と、をサポートする、
ことを特徴とする請求項７に記載の端末装置の通信制御方法。
【請求項９】
前記端末装置は、アクティブ状態のときに、前記NASメッセージを送信する、
ことを特徴とする請求項７又は８に記載の端末装置の通信制御方法。
【請求項１０】
基地局装置の通信制御方法であって、
端末装置から、ユーザデータを含むNAS(Non-access stratum)メッセージと、ユーザデータの送信の完了を通知するために使用される情報と、を受信するステップと、
前記NASメッセージを、コアネットワーク内に構成される前記端末装置の移動管理機能を有する装置に転送するステップと、
前記情報を受信した後、前記端末装置に、RRC(Radio Resource Control)コネクションリリースメッセージを送信するステップと、を備え、
前記RRCコネクションリリースメッセージは、前記端末装置がアイドル状態に遷移するために使用される、
ことを特徴とする基地局装置の通信制御方法。
【請求項１１】
前記端末装置は、スモールデータの送信と、マシン型通信と、をサポートする、
ことを特徴とする請求項１０に記載の基地局装置の通信制御方法。
【請求項１２】
前記基地局装置は、アクティブ状態を維持している前記端末装置から、前記NASメッセージを受信する、
ことを特徴とする請求項１０又は１１に記載の基地局装置の通信制御方法。
【発明の詳細な説明】
【技術分野】
【０００１】
本発明は、端末装置等に関する。
本出願は、２０１５年８月７日に日本国において出願された特願２０１５−１５６６９２に対して、優先権の利益を主張するものであり、それを参照することにより、その内容の全てが本出願に含まれるものである。
【背景技術】
【０００２】
近年の移動通信システムの標準化活動を行う3GPP(The 3rd Generation Partnership Project)は、LTE(Long Term Evolution)のシステムアーキテクチャであるSAE(System Architecture Enhancement)の検討を行っている。3GPPは、オールIP化を実現する、EPS(Evolved Packet System)の仕様化を行っている。なお、LTEのコアネットワークはEPC(Evolved Packet Core)と呼ばれる。【０００３】
また、近年3GPPでは、M2M(Machine to Machine)通信技術の検討を行っている。なお、M2M通信とはマシンマシン型通信であってよい。3GPPでは、特に、IoT(Internet of Things)を3GPPのセルラーネットワークサポートするための技術としてCIoT(Cellular Internet of Things)の検討を行っている（例えば、非特許文献１参照）。【０００４】
IoTとはパソコンなどのIT機器以外の様々なものがインターネットに接続されるための技術を意味する。具体的には、例えば、センサーノード等をインターネット経由で管理するためにCIoTが用いられてもよい。【０００５】
ＣＩｏＴでは、端末のバッテリーが数年間維持できるように電力消費の高効率化や、屋内や地下状態における通信への対応や、安価に大量生産への対応が要求される。更に、ＣＩｏＴは、簡易なエンドノードによる低データレート通信をサポートすることが要求される。【０００６】
本明細書では、このように低消費電力が要求され、送受信するデータは低データレートであり、複雑な能力が求められない低機能な、３ＧＰＰのコアネットワークへの接続が許可された端末をＣＩｏＴデバイスとする。
【先行技術文献】
【非特許文献】
【０００７】
【非特許文献１】3rd Generation Partnership Project; Technical Specification Group Services and System Aspects; Architecture enhancements for Cellular Internet of Things; (Release 13)
【発明の概要】
【発明が解決しようとする課題】
【０００８】
ＣＩｏＴでは、制御信号の効率化のために、複数の機能を持つ機能部をコアネットワーク内に配置する事を検討している。具体的には、従来のＭＭＥとＳＧＷとＰＧＷの機能を担うＣ−ＳＧＮ（CIoT Serving Gateway Node）をコアネットワークに設けることを検討している。【０００９】
３ＧＰＰでは、ＣＩｏＴデバイスがＣＩｏＴのアクセスネットワークを介して、コアネットワークに接続する事が検討されている。【００１０】
なお、ＣＩｏＴデバイスが接続するコアネットワークは、従来のコアネットワークであってもよいし、論理的に分割されたＣＩｏＴのためのコアネットワークであってもよいし、物理的に従来のコアネットワークとは異なるコアネットワークであってもよい。このようなコアネットワークをＣＩｏＴの為のコアネットワークとする。【００１１】
しかし、これらのコアネットワークへの接続方法及びデータの送受信の手順が明らかになっていない。【００１２】
本発明は、このような事情を鑑みてなされたもので、その目的は、低頻度でスモールデータパケットを送信するマシン型通信における好適なアタッチ及び通信手続きを提供する事である。
【課題を解決するための手段】
【００１３】
上記の目的を達成するために、本発明の一態様に係る端末装置は、基地局装置に、ユーザデータを含むNAS(Non-access stratum)メッセージと、ユーザデータの送信の完了を通知するために使用される情報と、を送信し、前記情報を送信した後、前記基地局装置から、RRC(Radio Resource Control)コネクションリリースメッセージを受信する、送受信部と、前記RRCコネクションリリースメッセージの受信に基づき、アイドル状態に遷移する制御部と、を備えることを特徴とする。【００１４】
本発明の一態様に係る基地局装置は、端末装置から、ユーザデータを含むNAS(Non-access stratum)メッセージと、ユーザデータの送信の完了を通知するために使用される情報と、を受信し、前記NASメッセージを、コアネットワーク内に構成される前記端末装置の移動管理機能を有する装置に転送し、前記情報を受信した後、前記端末装置に、RRC(Radio Resource Control)コネクションリリースメッセージを送信する、送受信部を備え、前記RRCコネクションリリースメッセージは、前記端末装置がアイドル状態に遷移するために使用される、ことを特徴とする。【００１５】
本発明の一態様に係る端末装置の通信制御方法は、基地局装置に、ユーザデータを含むNAS(Non-access stratum)メッセージと、ユーザデータの送信の完了を通知するために使用される情報と、を送信するステップと、前記情報を送信した後、前記基地局装置から、RRC(Radio Resource Control)コネクションリリースメッセージを受信するステップと、前記RRCコネクションリリースメッセージの受信に基づき、アイドル状態に遷移するステップと、を備える、ことを特徴とする。【００１６】
本発明の一態様に係る基地局装置の通信制御方法は、端末装置から、ユーザデータを含むNAS(Non-access stratum)メッセージと、ユーザデータの送信の完了を通知するために使用される情報と、を受信するステップと、前記NASメッセージを、コアネットワーク内に構成される前記端末装置の移動管理機能を有する装置に転送するステップと、前記情報を受信した後、前記端末装置に、RRC(Radio Resource Control)コネクションリリースメッセージを送信するステップと、を備え、前記RRCコネクションリリースメッセージは、前記端末装置がアイドル状態に遷移するために使用される、ことを特徴とする。
【発明の効果】
【００１７】
本発明の態様によれば、ＵＥが主導したアタッチ手続きにより、低頻度でスモールデータパケットを送信するマシン型通信を行うためのＰＤＮコネクションを確立し、確立したＰＤＮコネクションを用いてユーザデータを送信することが出来る。
【図面の簡単な説明】
【００１８】
【図１】移動通信システムの概略を説明するための図である。
【図２】ＩＰ移動通信ネットワークの構成等の一例を説明するための図である。
【図３】ＩＰ移動通信ネットワークの構成等の一例を説明するための図である。
【図４】ｅＮＢの装置構成を説明するための図である。
【図５】第２の通信手続きを説明するための図である。
【図６】ＭＭＥの装置構成を説明するための図である。
【図７】ＭＭＥの記憶部を説明するための図である。
【図８】ＭＭＥの記憶部を説明するための図である。
【図９】ＭＭＥの記憶部を説明するための図である。
【図１０】ＭＭＥの記憶部を説明するための図である。
【図１１】ＭＭＥの記憶部を説明するための図である。
【図１２】ＭＭＥの記憶部を説明するための図である。
【図１３】ＳＧＷの装置構成を説明するための図である。
【図１４】ＳＧＷの記憶部を説明するための図である。
【図１５】ＳＧＷの記憶部を説明するための図である。
【図１６】ＰＧＷの装置構成を説明するための図である。
【図１７】ＰＧＷの記憶部を説明するための図である。
【図１８】ＰＧＷの記憶部を説明するための図である。
【図１９】Ｃ−ＳＧＮの装置構成を説明するための図である。
【図２０】ＵＥの装置構成を説明するための図である。
【図２１】ＵＥの記憶部を説明するための図である。
【図２２】アタッチ手続きを説明するための図である。
【図２３】データ伝送を説明するための図である。
【図２４】第１の通信手続きを説明する為の図である。
【発明を実施するための形態】
【００１９】
以下、本発明の実施形態について説明する。
【００２０】
［１．実施形態］
［１．１．システム概要］
図１は、本実施形態における移動通信システムの概略を説明するための図である。本図に示すように、移動通信システム１は、移動端末装置ＵＥ＿Ａ１０とｅＮＢ＿Ａ４５とコアネットワーク＿Ａ９０とＰＤＮ＿Ａ５により構成されている。
【００２１】
ここで、ＵＥ＿Ａ１０は無線接続可能な端末装置であればよく、ＵＥ（Ｕｓｅｒ  ｅｑｕｉｐｍｅｎｔ）または、ＭＥ（Ｍｏｂｉｌｅ  ｅｑｕｉｐｍｅｎｔ）またはＭＳ（Ｍｏｂｉｌｅ  Ｓｔａｔｉｏｎ）であってよい。
【００２２】
また、ＵＥ＿Ａ１０は、ＣＩｏＴデバイスであってもよい。なお、ＣＩｏＴデバイスとは、低消費電力が要求され、送受信するデータは低データレートであり、複雑な能力が求められない低機能な、３ＧＰＰのコアネットワークへの接続が許可された端末であり、必ずしもＣＩｏＴを用いてコアネットワークに接続する必要はない。
【００２３】
つまり、ＵＥ＿Ａ１０がＣＩｏＴデバイスである場合、ＵＥ＿Ａ１０はＵＥ＿Ａ１０のポリシーまたはネットワークからの要求に基づいてＣＩｏＴを用いた接続を要求してもよいし、従来の接続を要求してもよい。または、ＵＥ＿Ａ１０は、出荷時に予めＣＩｏＴを用いた接続のみを要求する端末装置として設定されてもよい。
【００２４】
ここで、コアネットワーク＿Ａ９０は、移動通信事業者（Ｍｏｂｉｌｅ  Ｏｐｅｒａｔｏｒ）が運用するＩＰ移動通信ネットワークのことである。
【００２５】
例えば、コアネットワーク＿Ａ９０は移動通信システム１を運用、管理する移動通信事業者のためのコアネットワークであってもよい、またはＭＶＮＯ（Ｍｏｂｉｌｅ  Ｖｉｒｔｕａｌ  Ｎｅｔｗｏｒｋ  Ｏｐｅｒａｔｏｒ）などの仮想移動通信事業者のためのコアネットワークであってよい。または、コアネットワーク＿Ａ９０はＣＩｏＴの為のコアネットワークであってもよい。
【００２６】
また、ｅＮＢ＿Ａ４５はＵＥ＿Ａ１０がコアネットワーク＿Ａ９０に接続するために用いられる無線アクセスネットワークを構成する基地局である。つまり、ＵＥ＿Ａ１０はｅＮＢ＿Ａ４５を用いてコアネットワーク＿Ａ９０に接続する。
【００２７】
また、コアネットワーク＿Ａ９０はＰＤＮ＿Ａ５に接続されている。ＰＤＮ＿Ａ５とは、ＵＥ＿Ａ１０に通信サービスを提供するパケットデータサービス網であり、サービス毎に構成しても良い。ＰＤＮには、通信端末が接続されており、ＵＥ＿Ａ１０はＰＤＮ＿Ａ５に配置された通信端末とユーザデータの送受信を行うことができる。
【００２８】
次に、コアネットワーク＿Ａ９０の構成例を説明する。本実施形態では２つのコアネットワーク＿Ａ９０の構成例を説明する。
【００２９】
図２にコアネットワーク＿９０の構成の第１の一例を示す。図２（ａ）のコアネットワーク＿Ａ９０は、ＨＳＳ（Home Subscriber Server）＿Ａ５０、ＡＡＡ（Authentication、 Authorization、 Accounting）＿Ａ５５、ＰＣＲＦ（Policy and Charging Rules Function）＿Ａ６０、ＰＧＷ（Packet Data Network Gateway）＿Ａ３０、ｅＰＤＧ（enhanced Packet Data Gateway）＿Ａ６５、ＳＧＷ（Serving Gateway）＿Ａ３５、ＭＭＥ（Mobility Management Entity）＿Ａ４０、ＳＧＳＮ（Serving GPRS Support Node）＿Ａ４２により構成される。
【００３０】
また、コアネットワーク＿Ａ９０は、複数の無線アクセスネットワーク（ＬＴＥ  ＡＮ＿Ａ８０、ＷＬＡＮ  ＡＮｂ７５、ＷＬＡＮ  ＡＮａ７０、ＵＴＲＡＮ＿Ａ２０、ＧＥＲＡＮ＿Ａ２５）に接続することができる。
【００３１】
無線アクセスネットワークは、複数の異なるアクセスネットワークに接続して構成してもよいし、いずれか一つのアクセスネットワークに接続した構成であってもよい。さらに、ＵＥ＿Ａ１０は無線アクセスネットワークに無線接続することができる。
【００３２】
さらに、ＷＬＡＮアクセスシステムで接続可能なアクセスネットワークは、ｅＰＤＧ＿Ａ６５を介してコアネットワークへ接続するＷＬＡＮアクセスネットワークｂ（ＷＬＡＮ  ＡＮｂ７５）と、ＰＧＷ＿ＡとＰＣＲＦ＿Ａ６０とＡＡＡ＿Ａ５５とに接続するＷＬＡＮアクセスネットワークａ（ＷＬＡＮ  ＡＮａ７５）とが構成可能である。
【００３３】
なお、各装置はＥＰＳを利用した移動通信システムにおける従来の装置と同様に構成されるため、詳細な説明は省略する。以下、各装置の簡単な説明をする。
【００３４】
ＰＧＷ＿Ａ３０はＰＤＮ＿Ａ５とＳＧＷ＿Ａ３５とｅＰＤＧ＿Ａ６５とＷＬＡＮ  ＡＮａ７０と、ＰＣＲＦ＿Ａ６０とＡＡＡ＿Ａ５５とに接続されており、ＰＤＮ＿Ａ５とコアネットワーク＿Ａ９０のゲートウェイ装置としてユーザデータの転送を行う中継装置である。
【００３５】
ＳＧＷ＿Ａ３５は、ＰＧＷ３０とＭＭＥ＿Ａ４０とＬＴＥ  ＡＮ８０とＳＧＳＮ＿Ａ４２とＵＴＲＡＮ＿Ａ２０とに接続されており、コアネットワーク＿Ａ９０と３ＧＰＰのアクセスネットワーク（ＵＴＲＡＮ＿Ａ２０、ＧＥＲＡＮ＿Ａ２５、ＬＴＥ  ＡＮ＿Ａ８０）とのゲートウェイ装置としてユーザデータの転送を行う中継装置である。
【００３６】
ＭＭＥ＿Ａ４０は、ＳＧＷ＿Ａ３５とＬＴＥ  ＡＮ８０とＨＳＳ＿Ａ５０に接続されており、ＬＴＥ  ＡＮ８０を経由してＵＥ＿Ａ１０の位置情報管理と、アクセス制御を行うアクセス制御装置である。また、コアネットワーク＿Ａ９０には、複数の位置管理装置が含まれて構成されてよい。例えば、ＭＭＥ＿Ａ４０とは異なる位置管理装置が構成されてもよい。ＭＭＥ＿Ａ４０とは異なる位置管理装置はＭＭＥ＿Ａ４０と同様にＳＧＷ＿Ａ３５とＬＴＥ  ＡＮ８０と、ＨＳＳ＿Ａ５０と接続されてよい。
【００３７】
また、コアネットワーク＿Ａ９０内に複数のＭＭＥが含まれている場合、ＭＭＥ同士が接続されてもよい。これにより、ＭＭＥ間で、ＵＥ＿Ａ１０のコンテキストの送受信が行われてもよい。
【００３８】
ＨＳＳ＿Ａ５０はＭＭＥ＿Ａ４０とＡＡＡ＿Ａ５５とに接続されており、加入者情報の管理を行う管理ノードである。ＨＳＳ＿Ａ５０の加入者情報は、例えばＭＭＥ＿Ａ４０のアクセス制御の際に参照される。さらに、ＨＳＳ＿Ａ５０は、ＭＭＥ＿Ａ４０とは異なる位置管理装置と接続されていてもよい。
【００３９】
ＡＡＡ＿Ａ５５は、ＰＧＷ３０と、ＨＳＳ＿Ａ５０と、ＰＣＲＦ＿Ａ６０と、ＷＬＡＮ  ＡＮａ７０とに接続されており、ＷＬＡＮ  ＡＮａ７０を経由して接続するＵＥ＿Ａ１０のアクセス制御を行う。
【００４０】
ＰＣＲＦ＿Ａ６０は、ＰＧＷ＿Ａ３０と、ＷＬＡＮ  ＡＮａ７５と、ＡＡＡ＿Ａ５５と、ＰＤＮ＿Ａ５に接続されており、データ配送に対するＱｏＳ管理を行う。例えば、ＵＥ＿Ａ１０とＰＤＮ＿Ａ５間の通信路のＱｏＳの管理を行う。
【００４１】
ｅＰＤＧ＿Ａ６５は、ＰＧＷ３０と、ＷＬＡＮ  ＡＮｂ７５とに接続されており、コアネットワーク＿Ａ９０と、ＷＬＡＮ  ＡＮｂ７５とのゲートウェイ装置としてユーザデータの配送を行う。
【００４２】
ＳＧＳＮ＿Ａ４２は、ＵＴＲＡＮ＿Ａ２０とＧＥＲＡＮ＿Ａ２５とＳＧＷ＿Ａ３５と接続されており、３Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に、ＳＧＳＮ＿Ａ４２は、ＰＧＷ及びＳＧＷの選択機能、ＵＥのタイムゾーンの管理機能、及びＥ−ＵＴＲＡＮへのハンドオーバー時のＭＭＥの選択機能を持つ。
【００４３】
また、図２（ｂ）に示すように、各無線アクセスネットワークには、ＵＥ＿Ａ１０が実際に接続される装置（例えば、基地局装置やアクセスポイント装置）等が含まれている。接続に用いられる装置は、無線アクセスネットワークに適応した装置が考えられる。
【００４４】
本実施形態においては、ＬＴＥ  ＡＮ８０はｅＮＢ＿Ａ４５を含んで構成される。ｅＮＢ＿Ａ４５はＬＴＥアクセスシステムでＵＥ＿Ａ１０が接続する無線基地局であり、ＬＴＥ  ＡＮ＿Ａ８０には１又は複数の無線基地局が含まれて構成されてよい。
【００４５】
ＷＬＡＮ  ＡＮａ７０はＷＬＡＮ  ＡＰａ７２と、ＴＷＡＧ＿Ａ７４とが含まれて構成される。ＷＬＡＮ  ＡＰａ７２はコアネットワーク＿Ａ９０を運営する事業者に対して信頼性のあるＷＬＡＮアクセスシステムでＵＥ＿Ａ１０が接続する無線基地局であり、ＷＬＡＮ  ＡＮａ７０には１又は複数の無線基地局が含まれて構成されてよい。ＴＷＡＧ＿Ａ７４はコアネットワーク＿Ａ９０とＷＬＡＮ  ＡＮａ７０のゲートウェイ装置である。また、ＷＬＡＮ  ＡＰａ７２とＴＷＡＧ＿Ａ７４とは、単一の装置で構成されてもよい。
【００４６】
コアネットワーク＿Ａ９０を運営する事業者とＷＬＡＮ  ＡＮａ７０を運営する事業者が異なる場合でも、事業者間の契約や規約によりこのような構成での実現が可能となる。
【００４７】
また、ＷＬＡＮ  ＡＮｂ７５はＷＬＡＮ  ＡＰｂ７６を含んで構成される。ＷＬＡＮ  ＡＰｂ７６はコアネットワーク＿Ａ９０を運営する事業者に対して信頼関係が結ばれていない場合に、ＷＬＡＮアクセスシステムでＵＥ＿Ａ１０が接続する無線基地局であり、ＷＬＡＮ  ＡＮｂ７５には１又は複数の無線基地局が含まれて構成されてよい。
【００４８】
このように、ＷＬＡＮ  ＡＮｂ７５はコアネットワーク＿Ａ９０に含まれる装置であるｅＰＤＧ＿Ａ６５をゲートウェイとしてコアネットワーク＿Ａ９０に接続される。ｅＰＤＧ＿Ａ６５は安全性を確保するためのセキュリティー機能を持つ。
【００４９】
ＵＴＲＡＮ＿Ａ２０は、ＲＮＣ（Ｒａｄｉｏ  Ｎｅｔｗｏｒｋ  Ｃｏｎｔｒｏｌｌｅｒ）＿Ａ２４とｅＮＢ（ＵＴＲＡＮ）＿Ａ２２を含んで構成される。ｅＮＢ（ＵＴＲＡＮ）＿Ａ２２は、ＵＴＲＡ（UMTS Terrestrial Radio Access）でＵＥ＿Ａ１０が接続する無線基地局であり、ＵＴＲＡＮ＿Ａ２０には１又は複数の無線基地局が含まれて構成されてよい。またＲＮＣ＿Ａ２４は、コアネットワーク＿Ａ９０とｅＮＢ（ＵＴＲＡＮ）＿Ａ２２を接続する制御部であり、ＵＴＲＡＮ＿Ａ２０には１又は複数のＲＮＣが含まれて構成されてよい。また、ＲＮＣ＿Ａ２４は１つまたは複数のｅＮＢ（ＵＴＲＡＮ）＿Ａ２２と接続されてよい。更に、ＲＮＣ＿Ａ２４は、ＧＥＲＡＮ＿Ａ２５に含まれる無線基地局（ＢＳＳ（Base Station Subsystem）＿Ａ２６）と接続されてよい。
【００５０】
ＧＥＲＡＮ＿Ａ２５は、ＢＳＳ＿Ａ２６を含んで構成される。ＢＳＳ＿Ａ２６は、ＧＥＲＡ（ＧＳＭ（登録商標）／EDGE Radio Access）でＵＥ＿Ａ１０が接続する無線基地局であり、ＧＥＲＡＮ＿Ａ２５には１又は複数の無線基地局ＢＳＳで構成されてもよい。また、複数のＢＳＳは互いに接続しあっていてよい。またＢＳＳ＿Ａ２６はＲＮＣ＿Ａ２４と接続してもよい。
【００５１】
次に、第２のコアネットワーク＿Ａ９０の構成の一例を説明する。例えば、ＵＥ＿Ａ１０がＣＩｏＴ端末である場合、コアネットワーク＿Ａ９０は図３に示す構成であってもよい。図３のコアネットワーク＿Ａ９０は、Ｃ−ＳＧＮ（CIoT Serving Gateway Node）＿Ａ９５とＨＳＳ＿Ａ５０とで構成される。なお、図２と同様に、コアネットワーク＿Ａ９０は、ＬＴＥ以外のアクセスネットワークとの接続性を提供するために、ＡＡＡ＿Ａ５５及び／又はＰＣＲＦ＿Ａ６０及び／又はｅＰＤＧ＿Ａ６５及び／又はＳＧＳＮ＿Ａ４２がコアネットワーク＿Ａ９０に含まれてもよい。
【００５２】
Ｃ−ＳＧＮ＿Ａ９５は、図２のＭＭＥ＿Ａ４０とＳＧＷ＿Ａ３５とＰＧＷ＿Ａ３０の役割を担うノードであってよい。Ｃ−ＳＧＮ＿Ａ９５はＣＩｏＴ端末のためのノードであってよい。
【００５３】
つまり、Ｃ−ＳＧＮ＿Ａ９５は、ＰＤＮ＿Ａとコアネットワーク＿Ａ９０間のゲートウェイ装置機能及び、コアネットワーク＿Ａ９０とＣＩＯＴ  ＡＮ＿Ａ１００間のゲートウェイ装置機能及び、ＵＥ＿Ａ１０の位置管理機能を有していてよい。
【００５４】
図に示すように、ＵＥ＿Ａ１０は無線アクセスネットワークＣＩＯＴ  ＡＮ＿Ａ１００を介して、コアネットワーク＿Ａ９０に接続する。
【００５５】
図３（ｂ）にＣＩＯＴ  ＡＮ＿Ａ１００の構成を示す。図に示すようにＣＩＯＴ  ＡＮ＿Ａ１００にはｅＮＢ＿Ａ４５が含まれて構成されてよい。ＣＩＯＴ  ＡＮ＿Ａ１００に含まれるｅＮＢ＿Ａ４５は、ＬＴＥ  ＡＮ＿Ａ８０に含まれるｅＮＢ＿Ａ４５と同じ基地局であってよい。または、ＣＩＯＴ  ＡＮ＿Ａ１００に含まれるｅＮＢ＿Ａ４５は、ＬＴＥ  ＡＮ＿Ａ８０に含まれるｅＮＢ＿Ａ４５と異なる、ＣＩｏＴのための基地局であってよい。
【００５６】
なお、本明細書において、ＵＥ＿Ａ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００５７】
［１．２．装置の構成］
以下、各装置の構成について説明する。
［１．２．１．ｅＮＢの構成］
以下、ｅＮＢ＿Ａ４５の構成について説明する。図４はｅＮＢ＿Ａ４５の装置構成を示す。図に示すように、ｅＮＢ＿Ａ４５はネットワーク接続部＿Ａ４２０と、制御部＿Ａ４００と記憶部＿Ａ４４０で構成されている。ネットワーク接続部＿Ａ４２０と記憶部＿Ａ４４０は制御部＿Ａ４００と、バスを介して接続されている。
【００５８】
制御部＿Ａ４００はｅＮＢ＿Ａ４５を制御するための機能部である。制御部＿Ａ４００は、記憶部＿Ａ４４０に記憶されている各種プログラムを読みだして実行することにより各種処理を実現する。
【００５９】
ネットワーク接続部＿Ａ４２０は、ｅＮＢ＿Ａ４５がＭＭＥ＿Ａ４０及び／又はＳＧＷ＿Ａ３５またはＣ−ＳＧＮ＿Ａ９５と接続するための機能部である。
【００６０】
記憶部＿Ａ４４０は、ｅＮＢ＿Ａ４５の各動作に必要なプログラムや、データなどを記憶する機能部である。記憶部６４０は、例えば、半導体メモリや、ＨＤＤ（Hard Disk Drive）等により構成されている。
【００６１】
記憶部＿Ａ４４０は、少なくとも、１．３及び１．４で説明するアタッチ手続き及びデータの送信手続き内で送受信する制御メッセージに含まれる識別情報及びまたは制御情報及び／又はフラグ及び／又はパラメータを記憶してもよい。
【００６２】
［１．２．２．ＭＭＥの構成］
以下、ＭＭＥ＿Ａ４０の構成につい説明する。図６はＭＭＥ＿Ａ４０の装置構成を示す。図に示すように、ＭＭＥ＿Ａ４０はネットワーク接続部＿Ｂ６２０と、制御部＿Ｂ６００と記憶部＿Ｂ６４０で構成されている。ネットワーク接続部＿Ｂ６２０と記憶部＿Ｂ６４０は制御部＿Ｂ６００と、バスを介して接続されている。
【００６３】
制御部＿Ｂ６００はＭＭＥ＿Ａ４０を制御するための機能部である。制御部＿Ｂ６００は、記憶部＿Ｂ６４０に記憶されている各種プログラムを読みだして実行することにより各種処理を実現する。
【００６４】
ネットワーク接続部＿Ｂ６２０は、ＭＭＥ＿Ａ４０が、ＨＳＳ＿Ａ５０及び／又はＳＧＷ＿Ａ３５と接続するための機能部である。
【００６５】
記憶部＿Ｂ６４０は、ＭＭＥ＿Ａ４０の各動作に必要なプログラムや、データなどを記憶する機能部である。記憶部＿Ｂ６４０は、例えば、半導体メモリや、ＨＤＤ（Ｈａｒｄ  Ｄｉｓｋ  Ｄｒｉｖｅ）等により構成されている。
【００６６】
記憶部＿Ｂ６４０は、少なくとも、１．３及び１．４で説明するアタッチ手続き及びデータの送信手続き内で送受信する制御メッセージに含まれる識別情報及びまたは制御情報及び／又はフラグ及び／又はパラメータを記憶してもよい。
【００６７】
記憶部＿Ｂ６４０は、図に示すように、ＭＭＥコンテキスト６４２と、セキュリティーコンテキスト６４８と、ＭＭＥ緊急構成データ６５０とを記憶する。なお、ＭＭＥコンテキストは、ＭＭコンテキスト６４４と、ＥＰＳベアラコンテキスト６４６とにより構成される。または、ＭＭＥコンテキスト６４２は、ＥＭＭコンテキストとＥＳＭコンテキストで構成されてもよい。ＭＭコンテキスト６４４とはＥＭＭコンテキストの事であり、ＥＰＳベアラコンテキスト６４６はＥＳＭコンテキストの事であってもよい。
【００６８】
図７、図８及び図９にＵＥごとに記憶されるＭＭＥコンテキストの情報要素を示す。図に示すように、ＵＥごとに記憶されるＭＭＥコンテキストは、IMSI、IMSI-unauthenticated-indicator、MSISDN、MM State、GUTI、ME Identity、Tracking Area List、TAI of last TAU、ECGI(E-UTRAN Cell Global Identity)、E-UTRAN Cell Identity Age、CSG ID、CSG membership、Access mode、Authentication Vector、UE Radio Access Capability、MS Classmark 2、MS Classmark 3、Supported Codecs、UE Network Capability、MS Network Capability、UE Specific DRX Parameters、Selected NAS Algorithm、eKSI、K_ASME、NAS Keys and COUNT、Selected CN operator ID、Recovery、Access Restriction、ODB for PS parameters、APN-OI Replacement、MME IP address for S11、MME TEID for S11、S‐GW IP address for S11/S4、S GW TEID for S11/S4、SGSN IP address for S3、SGSN TEID for S3、eNodeB Address in Use for S1-MME、eNB UE S1AP ID、MME UE S1AP ID、Subscribed UE-AMBR、UE-AMBR、EPS Subscribed Charging Characteristics、Subscribed RFSP Index、RFSP Index in Use、Trace reference、Trace type、Trigger ID、OMC identity、URRP-MME、CSG Subscription Data、LIPA Allowed、Subscribed Periodic RAU/TAU Timer、MPS CS priority、MPS EPS priority、Voice Support Match Indicator、Homogenous Support of IMS Voice over PS Sessionsを含める。
【００６９】
ＩＭＳＩは、ユーザの永久的な識別情報である。ＨＳＳ＿Ａ５０が記憶するＩＭＳＩと等しい。ＩＭＳＩ−ｕｎａｕｔｈｅｎｔｉｃａｔｅｄ−ｉｎｄｉｃａｔｏｒは、このＩＭＳＩが認証されていない事を示す指示情報である。ＭＳＩＳＤＮは、ＵＥの電話番号を表す。ＭＳＩＳＤＮはＨＳＳ＿Ａ５０の記憶部により示される。
【００７０】
ＭＭ  Ｓｔａｔｅは、ＭＭＥの移動管理（Mobility management）状態を示す。この管理情報は、ｅＮＢとコアネットワーク間の接続が解放されているＥＣＭ−ＩＤＬＥ状態、ｅＮＢとコアネットワーク間の接続が解放されていないＥＣＭ−ＣＯＮＮＥＣＴＥＤ状態、またはＭＭＥがＵＥの位置情報を記憶していないＥＭＭ−ＤＥＲＥＧＩＳＴＥＲＥＤ状態を示す。
【００７１】
ＧＵＴＩ（Globally Unique Temporary Identity）は、ＵＥの一時的な識別情報である。ＧＵＴＩはＭＭＥの識別情報（GUMMEI:Globally Unique MME Identifier）と特定ＭＭＥ内でのＵＥの識別情報（Ｍ−ＴＭＳＩ）により構成される。ＭＥ  ＩｄｅｎｔｉｔｙＵＥのＩＤであり、例えば、ＩＭＥＩ／ＩＭＩＳＶであってもよい。
【００７２】
Ｔｒａｃｋｉｎｇ  Ａｒｅａ  Ｌｉｓｔは、ＵＥに割り当てたトラッキングエリア識別情報のリストである。ＴＡＩ  ｏｆ  ｌａｓｔ  ＴＡＵは、最近のトラッキングエリア更新手続きで示されたトラッキングエリア識別情報である。ＥＣＧＩは、ＭＭＥ＿Ａ４０が知る最近のＵＥのセルの識別情報である。
【００７３】
Ｅ−ＵＴＲＡＮ  Ｃｅｌｌ  Ｉｄｅｎｔｉｔｙ  Ａｇｅは、ＭＭＥがＥＣＧＩを取得してからの経過時間を示す。ＣＳＧ  ＩＤは、ＭＭＥが知る、最近のＵＥが動作したＣＳＧ（Ｃｌｏｓｅｄ  Ｓｕｂｓｃｒｉｂｅｒ  Ｇｒｏｕｐ）の識別情報である。ＣＳＧ  ｍｅｍｂｅｒｓｈｉｐは、ＭＭＥが知る最近のＵＥのＣＳＧのメンバー情報である。ＣＳＧ  ｍｅｍｂｅｒｓｈｉｐは、ＵＥがＣＳＧメンバーであるかどうかを示す。
【００７４】
Ａｃｃｅｓｓ  ｍｏｄｅはＥＣＧＩで識別されるセルのアクセスモードであり、ＥＣＧＩがＣＳＧとＣＳＧではないＵＥの両方にアクセスを許可するハイブリッドであることを示す識別情報であってもよい。
【００７５】
Ａｕｔｈｅｎｔｉｃａｔｉｏｎ  ＶｅｃｔｏｒはＭＭＥが従う、特定のＵＥの一時的なＡＫＡ（Authentication and Key Agreement）を示す。Ａｕｔｈｅｎｔｉｃａｔｉｏｎ  Ｖｅｃｔｏｒは、認証に用いるランダム値ＲＡＮＤ、期待応答ＸＲＥＳ、鍵Ｋ＿ＡＳＭＥ、ネットワークに認証された言語（トークン）ＡＵＴＮで構成される。
【００７６】
ＵＥ  Ｒａｄｉｏ  Ａｃｃｅｓｓ  Ｃａｐａｂｉｌｉｔｙは、ＵＥの無線アクセス能力を示す識別情報である。
【００７７】
ＭＳ  Ｃｌａｓｓｍａｒｋ  ２は、３Ｇ／２Ｇ（ＵＴＲＡＮ／ＧＥＲＡＮ）のＣＳドメインのコアネットワークの分類記号（Ｃｌａｓｓｍａｒｋ）である。ＭＳ  Ｃｌａｓｓｍａｒｋ  ２は、ＵＥがＳＲＶＣＣ（Single Radio Voice Call Continuity）をＧＥＲＡＮまたはＵＴＲＡＮに対してサポートする場合に使用される。
【００７８】
ＭＳ  Ｃｌａｓｓｍａｒｋ  ３は、ＧＥＲＡＮのＣＳドメインの無線ネットワークの分類記号（Ｃｌａｓｓｍａｒｋ）である。ＭＳ  Ｃｌａｓｓｍａｒｋ  ３は、ＵＥがＳＲＶＣＣ（Single Radio Voice Call Continuity）をGERANに対してサポートする場合に使用される。
【００７９】
Ｓｕｐｐｏｒｔｅｄ  Ｃｏｄｅｃｓは、ＣＳドメインでサポートされるコードのリストである。このリストは、ＵＥがＳＲＶＣＣをＧＥＲＡＮまたはＵＴＲＡＮに対してサポートする場合に使用される。
【００８０】
ＵＥ  Ｎｅｔｗｏｒｋ  Ｃａｐａｂｉｌｉｔｙは、ＵＥにサポートされるセキュリティーのアルゴリズムと鍵派生関数を含める。
【００８１】
ＭＳ  Ｎｅｔｗｏｒｋ  Ｃａｐａｂｉｌｉｔｙは、ＧＥＲＡＮ及び／又はＵＴＲＡＮ機能をもつＵＥに対して、ＳＧＳＮに必要な少なくとも一つの情報を含める情報である。
【００８２】
ＵＥ  Ｓｐｅｃｉｆｉｃ  ＤＲＸ  Ｐａｒａｍｅｔｅｒｓは、ＵＥのＤＲＸ（Discontinuous Reception）サイクル長を決定するために用いるパラメータである。ここでＤＲＸとは、ＵＥのバッテリーの消費電力をなるべく少なくするために、ある一定時間通信がなければＵＥを低消費電力状態に切り替える機能である。
【００８３】
Ｓｅｌｅｃｔｅｄ  ＮＡＳ  Ａｌｇｏｒｉｔｈｍは、ＮＡＳ（Non-Access Stream）の選択されたセキュリティーアルゴリズムである。
【００８４】
ｅＫＳＩは、Ｋ＿ＡＳＭＥを示す鍵の集合である。ＵＴＲＡＮまたはＥ−ＵＴＲＡＮのセキュリティー認証により取得したセキュリティー鍵を利用するかどうかを示してもよい。
【００８５】
Ｋ＿ＡＳＭＥは、暗号鍵ＣＫ（Ｃｉｐｈｅｒ  Ｋｅｙ）と完全鍵ＩＫ（Ｉｎｔｅｇｒｉｔｙ  Ｋｅｙ）に基づき生成される、Ｅ−ＵＴＲＡＮの鍵階層化の鍵である。
【００８６】
ＮＡＳ  Ｋｅｙｓ  ａｎｄ  ＣＯＵＮＴは、鍵Ｋ＿ＮＡＳｉｎｔと、鍵Ｋ＿ＮＡＳｅｎｃとＮＡＳ  ＣＯＵＮＴパラメータにより構成される。鍵Ｋ＿ＮＡＳｉｎｔは、ＵＥとＭＭＥ間の暗号化のための鍵であり、鍵Ｋ＿ＮＡＳｅｎｃは、ＵＥとＭＭＥ間の安全性保護のための鍵である。また、ＮＡＳ  ＣＯＵＮＴはＵＥとＭＭＥ間のセキュリティーが確立された、新しい鍵が設定された場合にカウントを開始する、カウントである。
【００８７】
Ｓｅｌｅｃｔｅｄ  ＣＮ  ｏｐｅｒａｔｏｒ  ＩＤはオペレータ間でネットワークを共有するために使用する、選択されたコアネットワークオペレータの識別情報である。
【００８８】
Ｒｅｃｏｖｅｒｙは、ＨＳＳがデータベースの復帰を行うかどうかを示す識別情報である。Ａｃｃｅｓｓ  Ｒｅｓｔｒｉｃｔｉｏｎは、アクセス制限の登録情報である。
【００８９】
ＯＤＢ  ｆｏｒ  ＰＳ  ｐａｒａｍｅｔｅｒｓは、ＯＤＢ（operator determined barring）の状態を示す。ここでＯＤＢとは、通信事業者（オペレータ）が決定したアクセス規定である。
【００９０】
ＡＰＮ−ＯＩ  Ｒｅｐｌａｃｅｍｅｎｔは、ＤＮＳ解決を実行する為にＰＧＷ  ＦＱＤＮを構築する際の、ＡＰＮに代わるドメイン名である。この代用のドメイン名はすべてのＡＰＮに適応される。
【００９１】
ＭＭＥ  ＩＰ  ａｄｄｒｅｓｓ  ｆｏｒ  Ｓ１１は、ＳＧＷとのインターフェースで用いられるＭＭＥのＩＰアドレスである。
【００９２】
ＭＭＥ  ＴＥＩＤ  ｆｏｒ  Ｓ１１は、ＳＧＷとのインターフェースで用いられるＴＥＩＤ（Tunnel Endpoint Identifier）である。
【００９３】
Ｓ−ＧＷ  ＩＰ  ａｄｄｒｅｓｓ  ｆｏｒ  Ｓ１１／Ｓ４はＭＭＥとＳＧＷ間またはＳＧＳＮとＭＭＥ間のインターフェースで利用されるＳＧＷのＩＰアドレスである。
【００９４】
Ｓ  ＧＷ  ＴＥＩＤ  ｆｏｒ  Ｓ１１／Ｓ４はＭＭＥとＳＧＷ間またはＳＧＳＮとＭＭＥ間のインターフェースで利用されるＳＧＷのＴＥＩＤである。
【００９５】
ＳＧＳＮ  ＩＰ  ａｄｄｒｅｓｓ  ｆｏｒ  Ｓ３は、ＭＭＥとＳＧＳＮ間でのインターフェースに用いるＳＧＳＮのＩＰアドレスである。
【００９６】
ＳＧＳＮ  ＴＥＩＤ  ｆｏｒ  Ｓ３は、ＭＭＥとＳＧＳＮ間のインターフェースで用いるＳＧＳＮのＴＥＩＤである。
【００９７】
ｅＮｏｄｅＢ  Ａｄｄｒｅｓｓ  ｉｎ  Ｕｓｅ  ｆｏｒ  Ｓ１−ＭＭＥは、ＭＭＥとｅＮＢ間のインターフェースで最近用いられたｅＮＢのＩＰアドレスである。ｅＮＢ  ＵＥ  Ｓ１ＡＰ  ＩＤは、ｅＮＢ内でのＵＥの識別情報である。ＭＭＥ  ＵＥ  Ｓ１ＡＰ  ＩＤは、ＭＭＥ内でのＵＥの識別情報である。
【００９８】
Ｓｕｂｓｃｒｉｂｅｄ  ＵＥ−ＡＭＢＲは、ユーザの登録情報に従いすべてのＮｏｎ−ＧＢＲ（Guaranteed Bit Rate）ベアラ（非保障ベアラ）を共有するための上り通信及び下り通信のＭＢＲ（Maximum Bit Rate）の最大値を示す。
【００９９】
ＵＥ−ＡＭＢＲは、すべてのＮｏｎ−ＧＢＲベアラ（非保障ベアラ）を共有するために、最近使用された上り通信及び下り通信のＭＢＲの最大値を示す。
【０１００】
ＥＰＳ  Ｓｕｂｓｃｒｉｂｅｄ  Ｃｈａｒｇｉｎｇ  Ｃｈａｒａｃｔｅｒｉｓｔｉｃｓは、ＵＥの課金特性を示す。例えば、ＥＰＳ  Ｓｕｂｓｃｒｉｂｅｄ  Ｃｈａｒｇｉｎｇ  Ｃｈａｒａｃｔｅｒｉｓｔｉｃｓはノーマル、プリペイド、課金率固定、または即時請求などの登録情報を示してもよい。
【０１０１】
Ｓｕｂｓｃｒｉｂｅｄ  ＲＦＳＰ  Ｉｎｄｅｘは、ＨＳＳから取得したＥ−ＵＴＲＡＮ内の特定のＲＲＭ構成のためのインデックスである。
【０１０２】
ＲＦＳＰ  Ｉｎｄｅｘ  ｉｎ  Ｕｓｅは、最近使用されたＥ−ＵＴＲＡＮ内の特定のＲＲＭ構成のためのインデックスである。
【０１０３】
Ｔｒａｃｅ  ｒｅｆｅｒｅｎｃｅは、特定のトレースの記録、または記録の集合を識別する識別情報である。
【０１０４】
Ｔｒａｃｅ  ｔｙｐｅは、トレースのタイプを示す。例えば、ＨＳＳがトレースをするタイプ、及び／又は、ＭＭＥやＳＧＷやＰＧＷがトレースするタイプを示してもよい。Ｔｒｉｇｇｅｒ  ＩＤは、トレースを開始する構成要素を識別する識別情報である。
【０１０５】
ＯＭＣ  Ｉｄｅｎｔｉｔｙは、トレースされた記録を受信したＯＭＣを識別する識別情報である。ＵＲＲＰ−ＭＭＥは、ＨＳＳによりＭＭＥからのＵＥ活動通知が要求された事を示す識別情報である。
【０１０６】
ＣＳＧ  Ｓｕｂｓｃｒｉｐｔｉｏｎ  Ｄａｔａは、ローミング先のＰＬＭＮ（ＶＰＬＭＮ）ＣＳＧ  ＩＤとローミング先の等価ＰＬＭＮの関連リストである。ＣＳＧ  ＩＤごとに、ＣＳＧ  ＩＤの有効期限を示すｅｘｐｉｒａｔｉｏｎ  ｄａｔｅや、有効期限がない事を示すａｂｓｅｎｔ  ｅｘｐｉｒａｔｉｏｎ  ｄａｔｅと関連づけられていてもよい。ＣＳＧ  ＩＤは、ＬＩＰＡを介した特定のＰＤＮ接続に使われてもよい。
【０１０７】
ＬＩＰＡ  Ａｌｌｏｗｅｄは、ＵＥはこのＰＬＭＮでＬＩＰＡを使用することが許可されているかどうかを示す。Ｓｕｂｓｃｒｉｂｅｄ  Ｐｅｒｉｏｄｉｃ  ＲＡＵ／ＴＡＵ  Ｔｉｍｅｒは、定期的なＲＡＵ及び／又はＴＡＵのタイマーである。
【０１０８】
ＭＰＳ  ＣＳ  ｐｒｉｏｒｉｔｙは、ＵＥがＣＳドメインでｅＭＬＰＰか１ｘ  ＲＴＴ優先サービスに登録されていることを示す。
【０１０９】
ＭＰＳ  ＥＰＳ  ｐｒｉｏｒｉｔｙは、ＥＰＳドメイン内でＭＰＳに登録されていることを示す識別情報である。
【０１１０】
Ｖｏｉｃｅ  Ｓｕｐｐｏｒｔ  Ｍａｔｃｈ  Ｉｎｄｉｃａｔｏｒは、ＵＥの無線能力がネットワーク構成と互換性があるかどうかを示す。例えば、ＵＥによるＳＲＶＣＣのサポートがネットワークの音声通話に対するサポートとマッチするかどうかを示す。
【０１１１】
Ｈｏｍｏｇｅｎｏｕｓ  Ｓｕｐｐｏｒｔ  ｏｆ  ＩＭＳ  Ｖｏｉｃｅ  ｏｖｅｒ  ＰＳ  Ｓｅｓｓｉｏｎｓ  ｆｏｒ  ＭＭＥは、ＰＳセッション上のＩＭＳ音声通話をサポートするかどうかを、ＵＥごとに示す指示情報である。Ｈｏｍｏｇｅｎｏｕｓ  Ｓｕｐｐｏｒｔ  ｏｆ  ＩＭＳ  Ｖｏｉｃｅ  ｏｖｅｒ  ＰＳ  Ｓｅｓｓｉｏｎｓ  ｆｏｒ  ＭＭＥは、ＭＭＥが管理する全てのＴＡ（Ｔｒａｃｋｉｎｇ  Ａｒｅａ）でＰＳ（Ｐａｃｋｅｔ  Ｓｗｉｔｃｈｅｄ：  回線交換）セッション上でのＩＭＳ（ＩＰ  Ｍｕｌｔｉｍｅｄｉａ  Ｓｕｂｓｙｓｔｅｍ）音声通話をサポートする、「Ｓｕｐｐｏｒｔｅｄ」と、ＰＳセッション上でのＩＭＳ音声通話をサポートするＴＡがない場合を示す「Ｎｏｔ  Ｓｕｐｐｏｒｔｅｄ」とがある。また、ＰＳセッション上でのＩＭＳ音声通話をサポートが均一でない（サポートするＴＡとしないＴＡがＭＭＥ内に混在する）場合や、サポートするかどうかが分からない場合、ＭＭＥはこの指示情報をＨＳＳに通知しない。
【０１１２】
図１０に、ＰＤＮコネクション毎に記憶されるＭＭＥコンテキストに含まれる情報要素を示す。図に示すように、ＰＤＮコネクション毎に記憶されるＭＭＥコンテキストは、APN in Use、APN Restriction、APN Subscribed、PDN Type、IP Address、EPS PDN Charging Characteristics、APN-OI Replacement、SIPTO permissions、Local Home Network ID、LIPA permissions、WLAN offloadability、VPLMN Address Allowed、PDN GW Address in Use(制御情報)、PDN GW TEID for S5/S8(制御情報)、MS Info Change Reporting Action、CSG Information Reporting Action、Presence Reporting Area Action、EPS subscribed QoS profile、Subscribed APN-AMBR、APN-AMBR、PDN GW GRE Key for uplink traffic(ユーザデータ)、Default bearer、low access priorityを含める。
【０１１３】
ＡＰＮ  ｉｎ  Ｕｓｅは、最近使用されたＡＰＮを示す。このＡＰＮはＡＰＮネットワークの識別情報と、デフォルトのオペレータの識別情報により構成される。
【０１１４】
ＡＰＮ  Ｒｅｓｔｒｉｃｔｉｏｎは、このベアラコンテキストに関連づけられたＡＰＮに対する、ＡＰＮのタイプの組み合わせの制限を示す。つまり、このＰＤＮコネクションで確立できるＡＰＮの数とＡＰＮを制限する情報である。ＡＰＮ  ＳｕｂｓｃｒｉｂｅｄはＨＳＳから受信した登録ＡＰＮを意味する。
【０１１５】
ＰＤＮ  Ｔｙｐｅは、ＩＰアドレスのタイプを示す。例えば、ＰＤＮ  Ｔｙｐｅは、ＩＰｖ４、ＩＰｖ６またはＩＰｖ４ｖ６を示す。
【０１１６】
ＩＰ  Ａｄｄｒｅｓｓは、ＩＰｖ４アドレスかＩＰｖ６  Ｐｒｅｆｉｘを示す。なお、ＩＰアドレスはＩＰｖ４とＩＰｖ６のｐｒｅｆｉｘの両方を記憶してもよい。
【０１１７】
ＥＰＳ  ＰＤＮ  Ｃｈａｒｇｉｎｇ  Ｃｈａｒａｃｔｅｒｉｓｔｉｃｓは、ＰＤＮコネクションの課金特性を示す。ＥＰＳ  ＰＤＮ  Ｃｈａｒｇｉｎｇ  Ｃｈａｒａｃｔｅｒｉｓｔｉｃｓは例えば、ノーマル、プリペイド、課金率固定、または即時請求を示してよい。
【０１１８】
ＡＰＮ−ＯＩ  Ｒｅｐｌａｃｅｍｅｎｔは、ＵＥごとに登録されているＡＰＮ−ＯＩ  Ｒｅｐｌａｃｅｍｅｎｔと同様の役割をもつＡＰＮの代理ドメイン名である。ただし、ＵＥごとのＡＰＮ−ＯＩ  Ｒｅｐｌａｃｅｍｅｎｔより優先度が高い。
【０１１９】
ＳＩＰＴＯ  ｐｅｒｍｉｓｓｉｏｎｓはこのＡＰＮを用いたトラフィックのＳＩＰＴＯ（Selected IP Traffic Offload）に対する許可情報を示す。具体的には、ＳＩＰＴＯ  ｐｅｒｍｉｓｓｉｏｎｓは、ＳＩＰＴＯを用いる事を禁止する、またはローカルネットワーク以外でのＳＩＰＴＯの利用を許可する、またはローカルネットワークを含めるネットワークでのＳＩＰＴＯの利用を許可する、またはローカルネットワークのみＳＩＰＴＯの利用を許可する、ことを識別する。
【０１２０】
Ｌｏｃａｌ  Ｈｏｍｅ  Ｎｅｔｗｏｒｋ  ＩＤは、このＰＤＮコネクションにおいてローカルネットワークを用いたＳＩＰＴＯ（ＳＩＰＴＯ＠ＬＮ）の利用が可能である場合、基地局が属するホームネットワークの識別情報を示す。
【０１２１】
ＬＩＰＡ  ｐｅｒｍｉｓｓｉｏｎｓは、このＰＤＮがＬＩＰＡを介したアクセスが可能かどうかを示す識別情報である。具体的には、ＬＩＰＡ  ｐｅｒｍｉｓｓｉｏｎｓは、ＬＩＰＡを許可しないＬＩＰＡ−ｐｒｏｈｉｂｉｔｅｄ、またはＬＩＰＡのみ許可する、ＬＩＰＡ−ｏｎｌｙ、条件によりＬＩＰＡを許可するＬＩＰＡ−ｃｏｎｄｉｔｉｏｎａｌであってよい。
【０１２２】
ＷＬＡＮ  ｏｆｆｌｏａｄ  ａｂｉｌｉｔｙは、このＡＰＮで接続されたトラフィックは、無線ランと３ＧＰＰ間の連携機能を用いて、無線ランにオフロードできるか、または３ＧＰＰの接続を維持するのかを示す識別情報である。ＷＬＡＮ  ｏｆｆｌｏａｄ  ａｂｉｌｉｔｙは、ＲＡＴタイプごとに分かれていてもよい。具体的には、ＬＴＥ（Ｅ−ＵＴＲＡ）と３Ｇ（ＵＴＲＡ）とで異なったＷＬＡＮ  ｏｆｆｌｏａｄ  ａｂｉｌｉｔｙが存在してもよい。
【０１２３】
ＶＰＬＭＮ  Ａｄｄｒｅｓｓ  Ａｌｌｏｗｅｄは、ＵＥがこのＡＰＮを用いた接続が、ローミング先のＰＬＭＮ（ＶＰＬＭＮ）ではＨＰＬＭＮのドメイン（ＩＰアドレス）ＰＧＷのみを使用することが許可されるのか、またはＶＰＬＭＮのドメイン内のＰＧＷを追加されるのかを示す。
ＰＤＮ  ＧＷ  Ａｄｄｒｅｓｓ  ｉｎ  Ｕｓｅ（制御情報）は、ＰＧＷの最近のＩＰアドレスを示す。このアドレスは制御信号を送信するときに用いられる。
【０１２４】
ＰＤＮ  ＧＷ  ＴＥＩＤ  ｆｏｒ  Ｓ５／Ｓ８（制御情報）は、ＳＧＷとＰＧＷ間のインターフェース（Ｓ５／Ｓ８）で制御情報の送受信に用いるＴＥＩＤである。
【０１２５】
ＭＳ  Ｉｎｆｏ  Ｃｈａｎｇｅ  Ｒｅｐｏｒｔｉｎｇ  Ａｃｔｉｏｎは、ＰＧＷにユーザの位置情報が変更された事を通知する必要があること示す情報要素である。
【０１２６】
ＣＳＧ  Ｉｎｆｏｒｍａｔｉｏｎ  Ｒｅｐｏｒｔｉｎｇ  Ａｃｔｉｏｎは、ＰＧＷにＣＳＧ情報が変更された事を通知する必要があることを示す情報要素である。
【０１２７】
Ｐｒｅｓｅｎｃｅ  Ｒｅｐｏｒｔｉｎｇ  Ａｒｅａ  Ａｃｔｉｏｎは、ＵＥが存在報告エリア（Presence Reporting Area）に存在するかどうかの変更を通知する必要があることを示す。この情報要素は、存在報告エリアの識別情報と、存在報告エリアに含まれる要素により分かれている。
【０１２８】
ＥＰＳ  ｓｕｂｓｃｒｉｂｅｄ  ＱｏＳ  ｐｒｏｆｉｌｅは、デフォルトベアラに対する、ベアラレベルでのＱｏＳパラメータを示す。
【０１２９】
Ｓｕｂｓｃｒｉｂｅｄ  ＡＰＮ−ＡＭＢＲは、ユーザの登録情報に従いこのＡＰＮに対して確立された全てのＮｏｎ−ＧＢＲベアラ（非保障ベアラ）を共有するための上り通信及び下り通信のＭＢＲ（Maximum Bit Rate）の最大値を示す。
【０１３０】
ＡＰＮ−ＡＭＢＲは、ＰＧＷにより決定された、このＡＰＮに対して確立された全てのＮｏｎ−ＧＢＲベアラ（非保障ベアラ）を共有するための上り通信及び下り通信のＭＢＲ（Maximum Bit Rate）の最大値を示す。
【０１３１】
ＰＤＮ  ＧＷ  ＧＲＥ  Ｋｅｙ  ｆｏｒ  ｕｐｌｉｎｋ  ｔｒａｆｆｉｃ（ユーザデータ）は、ＳＧＷとＰＧＷ間のインターフェースのユーザデータの上り通信のためのＧＲＥ（Generic Routing Encapsulation）鍵である。
【０１３２】
Ｄｅｆａｕｌｔ  ｂｅａｒｅｒは、このＰＤＮコネクション内のデフォルトベアラを識別するためのＥＰＳベアラ識別情報である。
【０１３３】
ｌｏｗ  ａｃｃｅｓｓ  ｐｒｉｏｒｉｔｙは、ＰＤＮコネクションが公開されているとき、ＵＥが低いアクセス優先度（low access priority）を要求したことを示す。
【０１３４】
図１１は、ベアラごとに記憶されるＭＭＥコンテキストを示す。図が示すように、ベアラごとに記憶されるＭＭＥコンテキストは、EPS Bearer ID、TI、S-GW IP address for S1-u、S-GW TEID for S1u、PDN GW TEID for S5/S8、PDN GW IP address for S5/S8、EPS bearer QoS、TFTを含める。
【０１３５】
ＥＰＳ  Ｂｅａｒｅｒ  ＩＤは、Ｅ−ＵＴＲＡＮを介したＵＥ接続に対して、ＥＰＳベアラを識別する唯一の識別情報である。
【０１３６】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【０１３７】
Ｓ−ＧＷ  ＩＰ  ａｄｄｒｅｓｓ  ｆｏｒ  Ｓ１−ｕは、ｅＮＢとＳＧＷ間のインターフェースで使用するＳＧＷのＩＰアドレスである。
【０１３８】
Ｓ−ＧＷ  ＴＥＩＤ  ｆｏｒ  Ｓ１ｕは、ｅＮＢとＳＧＷ間のインターフェースで使用するＳＧＷのＴＥＩＤである。
【０１３９】
ＰＤＮ  ＧＷ  ＴＥＩＤ  ｆｏｒ  Ｓ５／Ｓ８は、ＳＧＷとＰＧＷ間のインターフェースのユーザデータ伝送の為のＰＧＷのＴＥＩＤである。
【０１４０】
ＰＤＮ  ＧＷ  ＩＰ  ａｄｄｒｅｓｓ  ｆｏｒ  Ｓ５／Ｓ８は、ＳＧＷとＰＧＷ間のインターフェースのユーザデータ伝送の為のＰＧＷのＩＰアドレスである。
【０１４１】
ＥＰＳ  ｂｅａｒｅｒ  ＱｏＳは、ＱＣＩ（QoS Class Identifier）と、ＡＲＰ（Allocation and Retention Priority）で構成される。ＱＣＩはＱｏＳの属するクラスを示す。ＱｏＳは帯域制御の有無や遅延許容時間、パケットロス率などに応じてクラスを分けられる。ＱＣＩは優先度を示す情報を含める。ＡＲＰは、ベアラを維持することに関する優先度を表す情報である。
【０１４２】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０１４３】
ここで、図７〜図１１に示すＭＭＥコンテキストに含まれる情報要素は、ＭＭコンテキスト６４４またはＥＰＳベアラコンテキスト６４６のいずれかに含まれる。例えば、図１１に示すベアラごとのＭＭＥコンテキストをＥＰＳベアラコンテキストに記憶し、その他の情報要素をＭＭコンテキストに記憶してもよい。または図１０に示すＰＤＮコネクションごとのＭＭＥコンテキストと図１１に示すベアラごとのＭＭＥコンテキストをＥＰＳベアラコンテキストとし、その他の情報要素をＭＭコンテキストとしてもよい。
【０１４４】
図６が示すように、ＭＭＥの記憶部＿Ｂ６４０は、セキュリティーコンテキスト６４８を記憶してもよい。図１２（ａ）はセキュリティーコンテキスト６４８に含まれる情報要素を示す。
【０１４５】
図が示すように、セキュリティーコンテキストは、ＥＰＳ  ＡＳ  セキュリティーコンテキストと、ＥＰＳ  ＮＡＳ  セキュリティーコンテキストにより構成される。ＥＰＳ  ＡＳ  セキュリティーコンテキストは、アクセス層（ＡＳ：Ａｃｃｅｓｓ  Ｓｔｒｅａｍ）のセキュリティーに関するコンテキストであり、ＥＰＳ  ＮＡＳ  セキュリティーコンテキストは非アクセス層（ＮＡＳ：Ｎｏｎ−Ａｃｃｅｓｓ  Ｓｔｒｅａｍ）のセキュリティーに関するコンテキストである。
【０１４６】
図１２（ｂ）は、ＥＰＳ  ＡＳ  セキュリティーコンテキストに含まれる情報要素を示す。図が示すように、ＥＰＳ  ＡＳ  セキュリティーコンテキストは、cryptographic keyと、Next Hop parameter (NH)と、Next Hop Chaining Counter parameter (NCC)と、identifiers of the selected AS level cryptographic algorithmsとを含める。
【０１４７】
ｃｒｙｐｔｏｇｒａｐｈｉｃ  ｋｅｙは、アクセス層での暗号化の鍵である。ＮＨは、Ｋ＿ＡＳＭＥから決定される情報要素である。フォワードセキュリティーを実現するための情報要素である。
【０１４８】
ＮＣＣは、ＮＨと関連付けられた情報要素である。ネットワークを切り替える垂直方向のハンドオーバーが発生した数を表す。
【０１４９】
ｉｄｅｎｔｉｆｉｅｒｓ  ｏｆ  ｔｈｅ  ｓｅｌｅｃｔｅｄ  ＡＳ  ｌｅｖｅｌ  ｃｒｙｐｔｏｇｒａｐｈｉｃ  ａｌｇｏｒｉｔｈｍｓは選択された暗号化アルゴリズムの識別情報である。
【０１５０】
図１２（ｃ）は、ＥＰＳ  ＮＡＳ  セキュリティーコンテキストに含まれる情報要素を示す。図が示すように、ＥＰＳ  ＮＡＳ  セキュリティーコンテキストはＫ＿ＡＳＭＥとＵＥ  Ｓｅｃｕｒｉｔｙ  ｃａｐａｂｉｌｉｔｉｅとＮＡＳ  ＣＯＵＮＴを含めてよい。
【０１５１】
Ｋ＿ＡＳＭＥは、鍵ＣＫとＩＫに基づき生成される、Ｅ−ＵＴＲＡＮの鍵階層化の鍵である。
【０１５２】
ＵＥ  Ｓｅｃｕｒｉｔｙ  ｃａｐａｂｉｌｉｔｉｅは、ＵＥで使用される暗号とアルゴリズムに対応する識別情報の集合である。この情報は、アクセス層に対する情報と、非アクセス層に対する情報とを含む。更に、ＵＥがＵＴＲＡＮ／ＧＥＲＡＮへのアクセスをサポートする場合、この情報にＵＴＲＡＮ／ＧＥＲＡＮに対する情報を含める。ＮＡＳ  ＣＯＵＮは、Ｋ＿ＡＳＭＥが動作している時間を示すカウンターである。
【０１５３】
セキュリティーコンテキスト６４８はＭＭＥコンテキスト６４２に含まれてもよい。また、図６に示すように、セキュリティーコンテキスト６４８とＭＭＥコンテキスト６４２は別に存在してもよい。
【０１５４】
図１２（ｄ）は、ＭＭＥ緊急構成データ６５０で記憶される情報要素を示す。ＭＭＥ緊急構成データは、ＨＳＳから取得するＵＥの登録情報の代わりに使用する情報である。図に示すように、ＭＭＥ緊急構成データ６５０は、em APN(Emergency Access Point Name)、Emergency QoS profile、Emergency APN-AMBR、Emergency PDN GW identity、Non-3GPP HO Emergency PDN GW identityが含まれる。
【０１５５】
ｅｍ  ＡＰＮは、緊急用のＰＤＮ接続に用いるアクセスポイント名を示す。Ｅｍｅｒｇｅｎｃｙ  ＱｏＳ  ｐｒｏｆｉｌｅは、ベアラレベルでのｅｍ  ＡＰＮのデフォルトベアラのＱｏＳを示す。
【０１５６】
Ｅｍｅｒｇｅｎｃｙ  ＡＰＮ−ＡＭＢＲは、ｅｍ  ＡＰＮに対して確立されたＮｏｎ−ＧＢＲベアラ（非保障ベアラ）を共有するための上り通信及び下り通信のＭＢＲの最大値を示す。この値はＰＧＷにより決定される。
【０１５７】
Ｅｍｅｒｇｅｎｃｙ  ＰＤＮ  ＧＷ  ｉｄｅｎｔｉｔｙは、ｅｍ  ＡＰＮに対して静的に設定されたＰＧＷの識別情報である。この識別情報は、ＦＱＤＮでもＩＰアドレスであってもよい。
【０１５８】
Ｎｏｎ−３ＧＰＰ  ＨＯ  Ｅｍｅｒｇｅｎｃｙ  ＰＤＮ  ＧＷ  ｉｄｅｎｔｉｔｙは、ＰＬＭＮが３ＧＰＰ以外のアクセスネットワークへのハンドオーバーをサポートする場合に、ｅｍ  ＡＰＮに対して静的に設定されたＰＧＷの識別情報である。この識別情報は、ＦＱＤＮでもＩＰアドレスであってもよい。更に、ＭＭＥ＿Ａ４０は、ＵＥに対する接続状態を、ＵＥと同期しながら管理してよい。
【０１５９】
［１．２．３．ＳＧＷの構成］
以下、ＳＧＷ＿Ａ３５の構成につい説明する。図１３はＳＧＷ＿Ａ３５の装置構成を示す。図に示すように、ＳＧＷ＿Ａ３５はネットワーク接続部＿Ｃ１３２０と、制御部＿Ｃ１３００と記憶部＿Ｃ１３４０で構成されている。ネットワーク接続部＿Ｃ１３２０と記憶部＿Ｃ１３４０は制御部＿Ｃ１３００と、バスを介して接続されている。
【０１６０】
制御部＿Ｃ１３００はＳＧＷ＿Ａ３５を制御するための機能部である。制御部＿Ｃ１３００は、記憶部＿Ｃ１３４０に記憶されている各種プログラムを読みだして実行することにより各種処理を実現する。
【０１６１】
ネットワーク接続部＿Ｃ１３２０は、ＳＧＷ＿Ａ３５が、ＭＭＥ＿Ａ４０及び／又はＰＧＷ＿Ａ３０及び／又はＳＧＳＮ＿Ａ４２と接続するための機能部である。
【０１６２】
記憶部＿Ｃ１３４０は、ＳＧＷ＿Ａ３５の各動作に必要なプログラムや、データなどを記憶する機能部である。記憶部＿Ｃ１３４０は、例えば、半導体メモリや、ＨＤＤ（Ｈａｒｄ  Ｄｉｓｋ  Ｄｒｉｖｅ）等により構成されている。
【０１６３】
記憶部＿Ｃ１３４０は、少なくとも、１．３及び１．４で説明するアタッチ手続き及びデータの送信手続き内で送受信する制御メッセージに含まれる識別情報及びまたは制御情報及び／又はフラグ及び／又はパラメータを記憶してもよい。
【０１６４】
記憶部＿Ｃ１３４０は、図に示すように、ＥＰＳベアラコンテキスト１３４２を記憶する。なお、ＥＰＳベアラコンテキストの中には、ＵＥごとに記憶されるものと、ＰＤＮごとに記憶されるものと、ベアラごとに記憶されるものが含まれる。
【０１６５】
図１４にＵＥごとに記憶されるＥＰＳベアラコンテキストの情報要素を示す。図１４が示すように、ＵＥごとに記憶されるＥＰＳベアラコンテキストは、IMSI、MSI-unauthenticated-indicator、ME Identity、MSISDN、Selected CN operator id、MME TEID for S11、MME IP address for S11、S-GW TEID for S11/S4、S-GW IP address for S11/S4、SGSN IP address for S4、SGSN TEID for S4、Trace reference、Trace type、Trigger ID、OMC identity、Last known Cell Id、Last known Cell Id ageを含める。
【０１６６】
ＩＭＳＩは、ユーザの永久的な識別情報である。ＨＳＳ＿Ａ５０のＩＭＳＩと等しい。ＩＭＳＩ−ｕｎａｕｔｈｅｎｔｉｃａｔｅｄ−ｉｎｄｉｃａｔｏｒは、このＩＭＳＩが認証されていない事を示す指示情報である。ＭＥ  Ｉｄｅｎｔｉｔｙは、ＵＥの識別情報であり、例えば、ＩＭＥＩ／ＩＭＩＳＶであってもよい。
【０１６７】
ＭＳＩＳＤＮは、ＵＥの基本的な電話番号を表す。ＭＳＩＳＤＮはＨＳＳ＿Ａ５０の記憶部により示される。Ｓｅｌｅｃｔｅｄ  ＣＮ  ｏｐｅｒａｔｏｒ  ｉｄはオペレータ間でネットワークを共有するために使用する、選択されたコアネットワークオペレータの識別情報である。ＭＭＥ  ＴＥＩＤ  ｆｏｒ  Ｓ１１は、ＭＭＥとＳＧＷ間のインターフェースで用いられるＭＭＥのＴＥＩＤである。ＭＭＥ  ＩＰ  ａｄｄｒｅｓｓ  ｆｏｒ  Ｓ１１は、ＭＭＥとＳＧＷ間のインターフェースで用いられるＭＭＥのＩＰアドレスである。
【０１６８】
Ｓ−ＧＷ  ＴＥＩＤ  ｆｏｒ  Ｓ１１／Ｓ４は、ＭＭＥとＳＧＷ間のインターフェース、またはＳＧＳＮとＳＧＷ間のインターフェースで用いられるＳＧＷのＴＥＩＤである。Ｓ−ＧＷ  ＩＰ  ａｄｄｒｅｓｓ  ｆｏｒ  Ｓ１１／Ｓ４は、ＭＭＥとＳＧＷ間のインターフェース、またはＳＧＳＮとＳＧＷ間のインターフェースで用いられるＳＧＷのＩＰアドレスである。ＳＧＳＮ  ＩＰ  ａｄｄｒｅｓｓ  ｆｏｒ  Ｓ４は、ＳＧＳＮとＳＧＷ間のインターフェースで用いられるＳＧＳＮのＩＰアドレスである。ＳＧＳＮ  ＴＥＩＤ  ｆｏｒ  Ｓ４は、ＳＧＳＮとＳＧＷ間のインターフェースで用いられるＳＧＳＮのＴＥＩＤである。
【０１６９】
Ｔｒａｃｅ  ｒｅｆｅｒｅｎｃｅは、特定のトレースの記録、または記録の集合を識別する識別情報である。Ｔｒａｃｅ  Ｔｙｐｅは、トレースのタイプを示す。例えば、ＨＳＳがトレースをするタイプ、及び／又は、ＭＭＥやＳＧＷやＰＧＷがトレースするタイプを示してもよい。Ｔｒｉｇｇｅｒ  ＩＤは、トレースを開始する構成要素を識別する識別情報である。
【０１７０】
ＯＭＣ  Ｉｄｅｎｔｉｔｙは、トレースされた記録を受信したＯＭＣを識別する識別情報である。Ｌａｓｔ  ｋｎｏｗｎ  Ｃｅｌｌ  ＩＤは、ネットワークから通知されたＵＥの最近の位置情報である。Ｌａｓｔ  ｋｎｏｗｎ  Ｃｅｌｌ  ＩＤ  ａｇｅは、Ｌａｓｔ  ｋｎｏｗｎ  Ｃｅｌｌ  ＩＤが記憶されてから今までの期間を示す情報である。
【０１７１】
さらに、ＥＰＳベアラコンテキストには、ＰＤＮコネクションごとに記憶されるＥＰＳベアラコンテキストが含まれる。図１５（ａ）に、ＰＤＮコネクションごとに記憶されるＥＰＳベアラコンテキストを示す。図に示すように、ＰＤＮコネクションごとのＥＰＳベアラコンテキストは、APN in Use、EPS PDN Charging Characteristics、P-GW Address in Use(制御情報)、P-GW TEID for S5/S8(制御情報)、P-GW Address in Use(ユーザデータ)、P-GW GRE Key for uplink(ユーザデータ)、S-GW IP address for S5/S8(制御情報)、S―GW TEID for S5/S8(制御情報)、S GW Address in Use(ユーザデータ)、S-GW GRE Key for downlink traffic(ユーザデータ)、Default Bearerを含める。
【０１７２】
ＡＰＮ  ｉｎ  Ｕｓｅは、最近使用されたＡＰＮを示す。このＡＰＮはＡＰＮネットワークの識別情報と、デフォルトのオペレータの識別情報により構成される。また、この情報は、ＭＭＥまたはＳＧＳＮより取得した情報である。
【０１７３】
ＥＰＳ  ＰＤＮ  Ｃｈａｒｇｉｎｇ  Ｃｈａｒａｃｔｅｒｉｓｔｉｃｓは、ＰＤＮコネクションの課金特性を示す。ＥＰＳ  ＰＤＮ  Ｃｈａｒｇｉｎｇ  Ｃｈａｒａｃｔｅｒｉｓｔｉｃｓは例えば、ノーマル、プリペイド、課金率固定、または即時請求を示してよい。
【０１７４】
Ｐ−ＧＷ  Ａｄｄｒｅｓｓ  ｉｎ  Ｕｓｅ（制御情報）は、ＳＧＷが最近制御情報を送信するときに使用したＰＧＷのＩＰアドレスである。
【０１７５】
Ｐ−ＧＷ  ＴＥＩＤ  ｆｏｒ  Ｓ５／Ｓ８（制御情報）は、ＳＧＷとＰＧＷ間のインターフェースで、制御情報の伝送に用いるＰＧＷのＴＥＩＤである。
【０１７６】
Ｐ−ＧＷ  Ａｄｄｒｅｓｓ  ｉｎ  Ｕｓｅ（ユーザデータ）は、ＳＧＷが最近ユーザデータを送信するときに使用したＰＧＷのＩＰアドレスである。
【０１７７】
Ｐ−ＧＷ  ＧＲＥ  Ｋｅｙ  ｆｏｒ  ｕｐｌｉｎｋ（ユーザデータ）は、ＳＧＷとＰＧＷ間のインターフェースのユーザデータの上り通信のためのＧＲＥキーである。
【０１７８】
Ｓ−ＧＷ  ＩＰ  ａｄｄｒｅｓｓ  ｆｏｒ  Ｓ５／Ｓ８（制御情報）は、ＳＧＷとＰＧＷ間の制御情報のインターフェースに用いるＳＧＷのＩＰアドレスである。
【０１７９】
Ｓ―ＧＷ  ＴＥＩＤ  ｆｏｒ  Ｓ５／Ｓ８（制御情報）は、ＧＷとＰＧＷ間の制御情報のインターフェースに用いるＳＧＷのＴＥＩＤである。
【０１８０】
Ｓ  ＧＷ  Ａｄｄｒｅｓｓ  ｉｎ  Ｕｓｅ（ユーザデータ）は、ＳＧＷがユーザデータを送信するのに最近用いたＳＧＷのＩＰアドレスである。
【０１８１】
Ｓ−ＧＷ  ＧＲＥ  Ｋｅｙ  ｆｏｒ  ｄｏｗｎｌｉｎｋ  ｔｒａｆｆｉｃ（ユーザデータ）は、ＳＧＷとＰＧＷ間のユーザデータのインターフェースに用いる上り通信のＧＲＥキーである。
【０１８２】
Ｄｅｆａｕｌｔ  Ｂｅａｒｅｒは、このＰＤＮコネクションの中のデフォルトベアラを識別するための識別情報である。
【０１８３】
更に、ＳＧＷのＥＰＳベアラコンテキストはベアラごとのＥＰＳベアラコンテキストを含める。図１５（ｂ）は、ベアラごとのＥＰＳベアラコンテキストを示す。図に示すように、ベアラごとのＥＰＳベアラコンテキストは、EPS Bearer Id、TFT、P-GW Address in Use(ユーザデータ)、P-GW TEID for S5/S8 (ユーザデータ)、S-GW IP address for S5/S8(ユーザデータ)、S-GW TEID for S5/S8(ユーザデータ)、S-GW IP address for S1-u、S12 and S4(ユーザデータ)、S-GW TEID for S1-u、S12 and S4(ユーザデータ)、eNodeB IP address for S1-u、eNodeB TEID for S1-u、RNC IP address for S12、RNC TEID for S12、SGSN IP address for S4(ユーザデータ)、SGSN TEID for S4(ユーザデータ)、EPS Bearer QoS、Charging Idを含める。
【０１８４】
ＥＰＳ  Ｂｅａｒｅｒ  Ｉｄは、Ｅ−ＵＴＲＡＮを介したＵＥ接続に対して、ＥＰＳベアラを識別する唯一の識別情報である。つまり、ベアラを識別するための識別情報である。ＴＦＴは、ＥＰＳベアラと関連づけられた全てのパケットフィルターを示す。
【０１８５】
Ｐ−ＧＷ  Ａｄｄｒｅｓｓ  ｉｎ  Ｕｓｅ（ユーザデータ）は、ＳＧＷとＰＧＷ間のインターフェースで、ユーザデータの送信に最近用いられたＰＧＷのＩＰアドレスである。Ｐ−ＧＷ  ＴＥＩＤ  ｆｏｒ  Ｓ５／Ｓ８  （ユーザデータ）は、ＳＧＷとＰＧＷ間のユーザデータのインターフェースのためのＰＧＷのＴＥＩＤである。
【０１８６】
Ｓ−ＧＷ  ＩＰ  ａｄｄｒｅｓｓ  ｆｏｒ  Ｓ５／Ｓ８（ユーザデータ）は、ＰＧＷから受信するユーザデータの為の、ＳＧＷのＩＰアドレスである。Ｓ−ＧＷ  ＴＥＩＤ  ｆｏｒ  Ｓ５／Ｓ８（ユーザデータ）は、ＳＧＷとＰＧＷ間のユーザデータのインターフェースの為のＳＧＷのＴＥＩＤである。Ｓ−ＧＷ  ＩＰ  ａｄｄｒｅｓｓ  ｆｏｒ  Ｓ１−ｕ、Ｓ１２  ａｎｄ  Ｓ４（ユーザデータ）は、ＳＧＷと３ＧＰＰのアクセスネットワーク（ＬＴＥのアクセスネットワーク、またはＧＥＲＡＮ／ＵＴＲＡＮ）間のインターフェースで用いるＳＧＷのＩＰアドレスである。Ｓ−ＧＷ  ＴＥＩＤ  ｆｏｒ  Ｓ１−ｕ、Ｓ１２  ａｎｄ  Ｓ４（ユーザデータ）は、ＳＧＷと３ＧＰＰのアクセスネットワーク（ＬＴＥのアクセスネットワーク、またはＧＥＲＡＮ／ＵＴＲＡＮ）間のインターフェースで用いるＳＧＷのＴＥＩＤである。
【０１８７】
ｅＮｏｄｅＢ  ＩＰ  ａｄｄｒｅｓｓ  ｆｏｒ  Ｓ１−ｕは、ＳＧＷとｅＮＢ間の伝送に用いるｅＮＢのＩＰアドレスである。ｅＮｏｄｅＢ  ＴＥＩＤ  ｆｏｒ  Ｓ１−ｕは、ＳＧＷとｅＮＢ間の伝送に用いるｅＮＢのＴＥＩＤである。
【０１８８】
ＲＮＣ  ＩＰ  ａｄｄｒｅｓｓ  ｆｏｒ  Ｓ１２は、ＳＧＷとＵＴＲＡＮ間のインターフェースに用いるＲＮＣのＩＰアドレスである。ＲＮＣ  ＴＥＩＤ  ｆｏｒ  Ｓ１２は、ＳＧＷとＵＴＲＡＮ間のインターフェースに用いるＲＮＣのＴＥＩＤである。
【０１８９】
ＳＧＳＮ  ＩＰ  ａｄｄｒｅｓｓ  ｆｏｒ  Ｓ４（ユーザデータ）は、ＳＧＷとＳＧＳＮ間のユーザデータの伝送に用いるＳＧＳＮのＩＰアドレスである。ＳＧＳＮ  ＴＥＩＤ  ｆｏｒ  Ｓ４（ユーザデータ）は、ＳＧＷとＳＧＳＮ間のユーザデータの伝送に用いるＳＧＳＮのＴＥＩＤである。
【０１９０】
ＥＰＳ  Ｂｅａｒｅｒ  ＱｏＳは、このベアラのＱｏＳを表し、ＡＲＰ、ＧＢＲ、ＭＢＲ、ＱＣＩが含まれてもよい。ここでＡＲＰは、ベアラを維持することに関する優先度を表す情報である。また、ＧＢＲ（Ｇｕａｒａｎｔｅｅｄ  Ｂｉｔ  Ｒａｔｅ）は帯域保障されたビットレートを表し、ＭＢＲ（Ｍａｘｉｍｕｍ  Ｂｉｔ  Ｒａｔｅ）は、最大ビットレートをあらわす。ＱＣＩは、帯域制御の有無や遅延許容時間、パケットロス率などに応じてクラスを分けられる。ＱＣＩは優先度を示す情報を含める。
【０１９１】
Ｃｈａｒｇｉｎｇ  Ｉｄは、ＳＧＷとＰＧＷで生成される課金を記録するための識別情報である。
【０１９２】
［１．２．４．ＰＧＷの構成］
以下、ＰＧＷ＿Ａ３０の構成につい説明する。図１６はＰＧＷ＿Ａ３０の装置構成を示す。図に示すように、ＰＧＷ＿Ａ３０はネットワーク接続部＿Ｄ１６２０と、制御部＿Ｄ１６００と記憶部＿Ｄ１６４０で構成されている。ネットワーク接続部＿Ｄ１６２０と記憶部＿Ｄ１６４０は制御部＿Ｄ１６００と、バスを介して接続されている。
【０１９３】
制御部＿Ｄ１６００はＰＧＷ＿Ａ３０を制御するための機能部である。制御部＿Ｄ１６００は、記憶部＿Ｄ１６４０に記憶されている各種プログラムを読みだして実行することにより各種処理を実現する。
【０１９４】
ネットワーク接続部＿Ｄ１６２０は、ＰＧＷ＿Ａ３０が、ＳＧＷ＿Ａ３５及び／又はＰＣＲＦ＿Ａ６０及び／又はｅＰＤＧ＿Ａ６５と及び／又はＡＡＡ＿Ａ５５及び／又はＧＷ＿Ａ７４と接続するための機能部である。
【０１９５】
記憶部＿Ｄ１６４０は、ＰＧＷ＿Ａ３０の各動作に必要なプログラムや、データなどを記憶する機能部である。記憶部＿Ｄ１６４０は、例えば、半導体メモリや、ＨＤＤ（Hard Disk Drive）等により構成されている。
【０１９６】
記憶部＿Ｄ１６４０は、少なくとも、１．３及び１．４で説明するアタッチ手続き及びデータの送信手続き内で送受信する制御メッセージに含まれる識別情報及びまたは制御情報及び／又はフラグ及び／又はパラメータを記憶してもよい。
【０１９７】
記憶部＿Ｄ１６４０は、図に示すように、ＥＰＳベアラコンテキスト１６４２を記憶する。なお、ＥＰＳベアラコンテキストの中には、ＵＥごとに記憶されるものと、ＡＰＮごとに記憶されるものと、ＰＤＮコネクションごとに記憶されるものと、ベアラごとに記憶されるものが含まれる。
【０１９８】
図１７（ａ）は、ＵＥごとに記憶されるＥＰＳベアラコンテキストに含まれる情報要素を示す。図に示すように、ＵＥごとに記憶されるＥＰＳベアラコンテキストは、IMSI、IMSI-unauthenticated-indicator、ME Identity、MSISDN、Selected CN operator id、RAT type、Trace reference、Trace type、Trigger id、OMC identityを含む。
【０１９９】
ＩＭＳＩは、ＵＥを使用するユーザに割り当てられる、識別情報である。ＩＭＳＩ−ｕｎａｕｔｈｅｎｔｉｃａｔｅｄ−ｉｎｄｉｃａｔｏｒは、このＩＭＳＩが認証されていない事を示す指示情報である。ＭＥ  ＩｄｅｎｔｉｔｙはＵＥのＩＤであり、例えば、ＩＭＥＩ／ＩＭＩＳＶであってもよい。ＭＳＩＳＤＮは、ＵＥの基本的な電話番号を表す。ＭＳＩＳＤＮはＨＳＳ＿Ａ５０の記憶部により示される。
【０２００】
Ｓｅｌｅｃｔｅｄ  ＣＮ  ｏｐｅｒａｔｏｒ  ＩＤはオペレータ間でネットワークを共有するために使用する、選択されたコアネットワークオペレータの識別情報である。ＲＡＴ  ｔｙｐｅは、ＵＥの最近のＲＡＴ（Ｒａｄｉｏ  Ａｃｃｅｓｓ  Ｔｅｃｈｎｏｌｏｇｙ）を示す。ＲＡＴ  ｔｙｐｅは例えば、Ｅ−ＵＴＲＡ（ＬＴＥ）や、ＵＴＲＡなどであってよい。
【０２０１】
Ｔｒａｃｅ  ｒｅｆｅｒｅｎｃｅは、特定のトレースの記録、または記録の集合を識別する識別情報である。Ｔｒａｃｅ  ｔｙｐｅは、トレースのタイプを示す。例えば、ＨＳＳがトレースをするタイプ、及び／又は、ＭＭＥやＳＧＷやＰＧＷがトレースするタイプを示してもよい。Ｔｒｉｇｇｅｒ  ＩＤは、トレースを開始する構成要素を識別する識別情報である。ＯＭＣ  Ｉｄｅｎｔｉｔｙは、トレースされた記録を受信したＯＭＣを識別する識別情報である。
【０２０２】
次に、図１７（ｂ）にＡＰＮごとに記憶されるＥＰＳベアラコンテキストを示す。図に示すように、ＰＧＷ記憶部のＡＰＮごとに記憶されるＥＰＳベアラコンテキストは、ＡＰＮ  ｉｎ  ｕｓｅ、ＡＰＮ−ＡＭＢＲを含める。
【０２０３】
ＡＰＮ  ｉｎ  Ｕｓｅは、最近使用されたＡＰＮを示す。このＡＰＮはＡＰＮネットワークの識別情報と、デフォルトのオペレータの識別情報により構成される。この情報はＳＧＷから取得する。
【０２０４】
ＡＰＮ−ＡＭＢＲは、このＡＰＮに対して確立された全てのＮｏｎ−ＧＢＲベアラ（非保障ベアラ）を共有するための上り通信及び下り通信のＭＢＲ（Ｍａｘｉｍｕｍ  Ｂｉｔ  Ｒａｔｅ）の最大値を示す。
【０２０５】
また、図１８（ａ）にＰＤＮコネクションごとに記憶されるＥＰＳベアラコンテキストを示す。図に示すように、ＰＤＮコネクションごとに記憶されるＥＰＳベアラコンテキストは、IP Address、PDN type、S-GW Address in Use(制御情報)、S-GW TEID for S5/S8(制御情報)、S-GW Address in Use(ユーザデータ)、S-GW GRE Key for downlink traffic(ユーザデータ)、P-GW IP address for S5/S8(制御情報)、P-GW TEID for S5/S8(制御情報)、P-GW Address in Use(ユーザデータ)、P-GW GRE Key for uplink traffic (ユーザデータ)、MS Info Change Reporting support indication、MS Info Change Reporting Action、CSG Information Reporting Action、Presence Reporting Area Action、BCM、Default Bearer、EPS PDN Charging Characteristicsを含める。
【０２０６】
ＩＰ  Ａｄｄｒｅｓｓは、このＰＤＮコネクションに対してＵＥが割り当てられたＩＰアドレスを示す。ＩＰアドレスはＩＰｖ４及び／又はＩＰｖ６  ｐｒｅｆｉｘであってよい。
【０２０７】
ＰＤＮ  ｔｙｐｅは、ＩＰアドレスの種類を示す。ＰＤＮ  ｔｙｐｅは例えば、ＩＰｖ４またはＩＰｖ６またはＩＰｖ４ｖ６を示す。
【０２０８】
Ｓ−ＧＷ  Ａｄｄｒｅｓｓ  ｉｎ  Ｕｓｅ（制御情報）は、制御情報を送信するのに最近用いられるＳＧＷのＩＰアドレスである。
【０２０９】
Ｓ−ＧＷ  ＴＥＩＤ  ｆｏｒ  Ｓ５／Ｓ８（制御情報）は、ＳＧＷとＰＧＷ間の制御情報の送受信に用いるＳＧＷのＴＥＩＤである。
【０２１０】
Ｓ−ＧＷ  Ａｄｄｒｅｓｓ  ｉｎ  Ｕｓｅ（ユーザデータ）は、ＳＧＷとＰＧＷ間のインターフェースでユーザデータの送信に最近用いられたＳＧＷのＩＰアドレスである。
【０２１１】
Ｓ−ＧＷ  ＧＲＥ  Ｋｅｙ  ｆｏｒ  ｄｏｗｎｌｉｎｋ  ｔｒａｆｆｉｃ（ユーザデータ）は、ＳＧＷとＰＧＷ間のインターフェースで、ＰＧＷからＳＧＷへのユーザデータの下り通信において使用するために割り当てられたＧＲＥ鍵である。
【０２１２】
Ｐ−ＧＷ  ＩＰ  ａｄｄｒｅｓｓ  ｆｏｒ  Ｓ５／Ｓ８（制御情報）は、制御情報の通信に用いるＰＧＷのＩＰドレスである。
【０２１３】
Ｐ−ＧＷ  ＴＥＩＤ  ｆｏｒ  Ｓ５／Ｓ８（制御情報）は、ＳＧＷとＰＧＷ間のインターフェースを用いた制御情報の通信の為のＰＧＷのＴＥＩＤである。
【０２１４】
Ｐ−ＧＷ  Ａｄｄｒｅｓｓ  ｉｎ  Ｕｓｅ（ユーザデータ）は、ＳＧＷとＰＧＷ間のインターフェースを用いたユーザデータの送信に最近用いられたＰＧＷのＩＰアドレスである。
【０２１５】
Ｐ−ＧＷ  ＧＲＥ  Ｋｅｙ  ｆｏｒ  ｕｐｌｉｎｋ  ｔｒａｆｆｉｃ  （ユーザデータ）は、ＳＧＷとＰＧＷ間のユーザデータの上り通信、つまりＳＧＷからＰＧＷへのユーザデータの送信、のために割り当てられたＧＲＥ鍵である。
【０２１６】
ＭＳ  Ｉｎｆｏ  Ｃｈａｎｇｅ  Ｒｅｐｏｒｔｉｎｇ  ｓｕｐｐｏｒｔ  ｉｎｄｉｃａｔｉｏｎは、ＭＭＥ及び／又はＳＧＳＮがユーザの位置情報及び／又はユーザのＣＳＧ情報を通知する処理をサポートすることを示す。
【０２１７】
ＭＳ  Ｉｎｆｏ  Ｃｈａｎｇｅ  Ｒｅｐｏｒｔｉｎｇ  Ａｃｔｉｏｎは、ＭＭＥ及び／又はＳＧＳＮがユーザの位置情報の変更を送信することが要求されているかどうかを示す情報である。
【０２１８】
ＣＳＧ  Ｉｎｆｏｒｍａｔｉｏｎ  Ｒｅｐｏｒｔｉｎｇ  Ａｃｔｉｏｎは、ＭＭＥ及び／又はＳＧＳＮがユーザのＣＳＧ情報の変更の送信を要求されているかどうかを示す情報である。この情報は、（ａ）ＣＳＧセルに対するものと、（ｂ）ユーザがＣＳＧメンバーであるハイブリッドセルに対するものと、（ｃ）ユーザがＣＳＧメンバーでないハイブリッドセルに対するものと、またこれらを組み合わせたものと、別に示す。
【０２１９】
Ｐｒｅｓｅｎｃｅ  Ｒｅｐｏｒｔｉｎｇ  Ａｒｅａ  Ａｃｔｉｏｎは、ＵＥが存在報告エリア（Ｐｒｅｓｅｎｃｅ  Ｒｅｐｏｒｔｉｎｇ  Ａｒｅａ）に存在するかどうかの変更を通知する必要があることを示す。この情報要素は、存在報告エリアの識別情報と、存在報告エリアに含まれる要素により分かれている。
【０２２０】
ＢＣＭ（Ｂｅａｒｅｒ  Ｃｏｎｔｒｏｌ  Ｍｏｄｅ）は、ＧＥＲＡＮ／ＵＴＲＡＮに対する交渉されたベアラの制御状態を示す。
【０２２１】
Ｄｅｆａｕｌｔ  Ｂｅａｒｅｒは、ＰＤＮコネクションに含まれるデフォルトベアラを識別するための識別情報である。
【０２２２】
ＥＰＳ  ＰＤＮ  Ｃｈａｒｇｉｎｇ  Ｃｈａｒａｃｔｅｒｉｓｔｉｃｓは、ＰＤＮコネクションの課金特性である。課金特性は例えば、通常（ノーマル）、プリペイド、課金率固定、即時請求を示してもよい。
【０２２３】
更に、図１８（ｂ）に、ＥＰＳベアラごとに記憶されるＥＰＳベアラコンテキストを示す。図に示すように、ＥＰＳベアラコンテキストは、ＥＰＳ  Ｂｅａｒｅｒ  Ｉｄ  、ＴＦＴ、Ｓ−ＧＷ  Ａｄｄｒｅｓｓ  ｉｎ  Ｕｓｅ（ユーザデータ）、Ｓ−ＧＷ  ＴＥＩＤ  ｆｏｒ  Ｓ５／Ｓ８  （ユーザデータ）、Ｐ−ＧＷ  ＩＰ  ａｄｄｒｅｓｓ  ｆｏｒ  Ｓ５／Ｓ８  （ユーザデータ）、Ｐ−ＧＷ  ＴＥＩＤ  ｆｏｒ  Ｓ５／Ｓ８  （ユーザデータ）、ＥＰＳ  Ｂｅａｒｅｒ  ＱｏＳ、Ｃｈａｒｇｉｎｇ  Ｉｄを含める。
【０２２４】
ＥＰＳ  Ｂｅａｒｅｒ  Ｉｄは、ＵＥのＥ−ＵＴＲＡＮを介したアクセスを識別する識別情報である。
【０２２５】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０２２６】
Ｓ−ＧＷ  Ａｄｄｒｅｓｓ  ｉｎ  Ｕｓｅ（ユーザデータ）は、ユーザデータの送信に最近用いられたＳＧＷのＩＰアドレスである。
【０２２７】
Ｓ−ＧＷ  ＴＥＩＤ  ｆｏｒ  Ｓ５／Ｓ８  （ユーザデータ）は、ＳＧＷとＰＧＷ間のインターフェースを用いたユーザデータの通信の為のＳＧＷのＴＥＩＤである。
【０２２８】
Ｐ−ＧＷ  ＩＰ  ａｄｄｒｅｓｓ  ｆｏｒ  Ｓ５／Ｓ８（ユーザデータ）は、ＰＧＷから受信するユーザデータの為のＰＧＷのＩＰアドレスである。
【０２２９】
Ｐ−ＧＷ  ＴＥＩＤ  ｆｏｒ  Ｓ５／Ｓ８（ユーザデータ）は、ＳＧＷとＰＧＷ間のユーザデータの通信のためのＰＧＷのＴＥＩＤである。
【０２３０】
ＥＰＳ  Ｂｅａｒｅｒ  ＱｏＳは、ベアラのＱｏＳを示し、ＡＲＰ、ＧＢＲ、ＭＢＲ、ＱＣＩが含まれてもよい。ここでＡＲＰは、ベアラを維持することに関する優先度を表す情報である。また、ＧＢＲ（Ｇｕａｒａｎｔｅｅｄ  Ｂｉｔ  Ｒａｔｅ）は帯域保障されたビットレートを表し、ＭＢＲ（Ｍａｘｉｍｕｍ  Ｂｉｔ  Ｒａｔｅ）は、最大ビットレートをあらわす。ＱＣＩは、帯域制御の有無や遅延許容時間、パケットロス率などに応じてクラスを分けられる。ＱＣＩは優先度を示す情報を含める。
【０２３１】
Ｃｈａｒｇｉｎｇ  Ｉｄは、ＳＧＷとＰＧＷで生成された課金に関する記録を識別するための課金識別情報である。
【０２３２】
［１．２．５．Ｃ−ＳＧＮの構成］
以下、Ｃ−ＳＧＮ＿Ａ９５の装置構成を説明する。図１９はＣ−ＳＧＮ＿Ａ９５の装置構成を示す。図に示すように、Ｃ−ＳＧＮ＿Ａ９５はネットワーク接続部＿Ｅ１９２０と、制御部＿Ｅ１９００と記憶部＿Ｅ１９４０で構成されている。ネットワーク接続部＿Ｅ１９２０と記憶部＿Ｅ１９４０は制御部＿Ｅ１９００と、バスを介して接続されている。
【０２３３】
制御部＿Ｅ１９００はＣ−ＳＧＮ＿Ａ９５を制御するための機能部である。制御部＿Ｅ１９００は、記憶部＿Ｅ１９４０に記憶されている各種プログラムを読みだして実行することにより各種処理を実現する。
【０２３４】
ネットワーク接続部＿Ｅ１９２０は、Ｃ−ＳＧＮ＿Ａ９５が、ｅＮＢ＿Ａ４５及び／又はＨＳＳ＿Ａ５０及び／又はＰＤＮ＿Ａ５と接続するための機能部である。
【０２３５】
記憶部＿Ｅ１９４０は、Ｃ−ＳＧＮ＿Ａ９５の各動作に必要なプログラムや、データなどを記憶する機能部である。記憶部＿Ｅ１９４０は、例えば、半導体メモリや、ＨＤＤ（Ｈａｒｄ  Ｄｉｓｋ  Ｄｒｉｖｅ）等により構成されている。
【０２３６】
記憶部＿Ｅ１９４０は、少なくとも、１．３及び１．４で説明するアタッチ手続き及びデータの送信手続き内で送受信する制御メッセージに含まれる識別情報及びまたは制御情報及び／又はフラグ及び／又はパラメータを記憶してもよい。
【０２３７】
記憶部＿Ｅ１９４０は、図に示すように、コンテキストＡ１９４２と、コンテキストＢ１９４４と、コンテキストＣ１９４６と、コンテキストＤ１９４８を記憶する。
【０２３８】
コンテキストＡ１９４２は、図６に示すＭＭＥコンテキスト６４２であってよい。また、コンテキストＢ１９４４は、図６に示すセキュリティーコンテキスト６４８であってよい。また、コンテキストＣ１９４６は、図６に示すＭＭＥ緊急構成データ６５０であってよい。
また、コンテキストＤ１９４８は、図１３に示すＥＰＳベアラコンテキスト１３４２であってよい。また、コンテキストＥ１９５０は、図１６に示すＥＰＳベアラコンテキスト１６４２であってよい。
【０２３９】
なお、コンテキストＡ１９４２〜コンテキストＥ１９５０に同じ情報要素が含まれる場合、必ずしも重複して記憶部＿Ｅ１９４０で記憶される必要はなく、いずれかのコンテキストに記憶されていれば良い。
【０２４０】
具体的には、例えば、ＩＭＳＩは、コンテキストＡ１９４２と、コンテキストＤ１９４８と、コンテキストＥ１９５０のそれぞれに含まれてもよいし、いずれかのコンテキストに記憶されていてもよい。
【０２４１】
［１．２．６．ＵＥの構成］
図２０はＵＥ＿Ａ１０の装置構成を示す。図に示すように、ＵＥ＿Ａ１０は送受信部２０２０と、制御部２０００と記憶部２０４０で構成されている。送受信部２０２０と記憶部２０４０は制御部２０００と、バスを介して接続されている。
【０２４２】
制御部２０００はＵＥ＿Ａ１０を制御するための機能部である。制御部２０００は、記憶部２０４０に記憶されている各種プログラムを読みだして実行することにより各種処理を実現する。
【０２４３】
送受信部２０２０は、ＵＥ＿Ａ１０がＬＴＥ基地局に接続し、ＩＰアクセスネットワークへ接続するための機能部である。また、送受信部２０２０には、外部アンテナ２０１０が接続されている。
【０２４４】
記憶部２０４０は、ＵＥ＿Ａ１０の各動作に必要なプログラムや、データなどを記憶する機能部である。記憶部２０４０は、例えば、半導体メモリや、ＨＤＤ（Hard Disk Drive）等により構成されている。
【０２４５】
記憶部２０４０は、図に示すように、ＵＥコンテキスト２０４２を記憶する。以下、記憶部２０４０で記憶される情報要素について説明する。
【０２４６】
図２１（ａ）は、ＵＥごとに記憶されるＵＥコンテキストに含まれる情報要素を示す。図に示すように、ＵＥごとに記憶されるＵＥコンテキストは、IMSI、EMM State、GUTI、ME Identity、Tracking Area List、last visited TAI、Selected NAS Algorithm、Selected AS Algorithm、eKSI、K_ASME、NAS Keys and COUNT、TIN、UE Specific DRX Parameters、Allowed CSG list、Operator CSG listを含める。
【０２４７】
ＩＭＳＩは、加入者の永久的な識別情報である。ＥＭＭ  Ｓｔａｔｅは、ＵＥの移動管理状態を示す。例えば、ＵＥがネットワークに登録されているＥＭＭ−ＲＥＧＩＳＴＥＲＥＤ（登録状態、ｒｅｇｉｓｔｅｒｅｄ状態）、またはＵＥがネットワークに登録されていないＥＭＭ−ＤＥＲＥＧＩＳＴＥＲＤ（非登録状態、ｄｅｒｅｇｉｓｔｅｒｅｄ状態）であってもよい。
【０２４８】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。
【０２４９】
ＭＥ  Ｉｄｅｎｔｉｔｙは、ＭＥのＩＤであり、例えば、ＩＭＥＩ／ＩＭＩＳＶであってもよい。Ｔｒａｃｋｉｎｇ  Ａｒｅａ  Ｌｉｓｔは、ＵＥに割り当てたトラッキングエリア識別情報のリストである。
【０２５０】
ｌａｓｔ  ｖｉｓｉｔｅｄ  ＴＡＩはＴｒａｃｋｉｎｇ  Ａｒｅａ  Ｌｉｓｔに含まれるトラッキングエリア識別情報であり、ＵＥが訪れた最新のトラッキングエリアの識別情報である。
【０２５１】
Ｓｅｌｅｃｔｅｄ  ＮＡＳ  Ａｌｇｏｒｉｔｈｍは、ＮＡＳの選択されたセキュリティーアルゴリズムである。Ｓｅｌｅｃｔｅｄ  ＡＳ  Ａｌｇｏｒｉｔｈｍは、ＡＳの選択されたセキュリティーアルゴリズムである。
【０２５２】
ｅＫＳＩは、Ｋ＿ＡＳＭＥを示す鍵の集合である。ＵＴＲＡＮまたはＥ−ＵＴＲＡＮのセキュリティー認証により取得したセキュリティー鍵を利用するかどうかを示してもよい。Ｋ＿ＡＳＭＥは、鍵ＣＫとＩＫに基づき生成される、Ｅ−ＵＴＲＡＮの鍵階層化の鍵である。ＮＡＳ  Ｋｅｙｓ  ａｎｄ  ＣＯＵＮＴは、鍵Ｋ＿ＮＡＳｉｎｔと、鍵Ｋ＿ＮＡＳｅｎｃとＮＡＳ  ＣＯＵＮＴにより構成される。Ｋ＿ＮＡＳｉｎｔは、ＵＥとＭＭＥ間の暗号化のための鍵であり、Ｋ＿ＮＡＳｅｎｃは、ＵＥとＭＭＥ間の安全性保護のための鍵である。また、ＮＡＳ  ＣＯＵＮＴはＵＥとＭＭＥ間のセキュリティーが確立された、新しい鍵が設定された場合にカウントを開始する、カウントである。
【０２５３】
ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）は、アタッチ手続きや、ＲＡＵ／ＴＡＵ（位置情報更新手続き）においてＵＥの中で使用される一時的な識別情報である。
【０２５４】
ＵＥ  Ｓｐｅｃｉｆｉｃ  ＤＲＸ  Ｐａｒａｍｅｔｅｒｓは、選択されたＵＥのＤＲＸ（Ｄｉｓｃｏｎｔｉｎｕｏｕｓ  Ｒｅｃｅｐｔｉｏｎ）サイクル長である。
【０２５５】
Ａｌｌｏｗｅｄ  ＣＳＧ  ｌｉｓｔは、ユーザとオペレータ両方の制御の下に、許可されたＵＥが属するメンバーのＣＳＧ  ＩＤと関連付けられたＰＬＭＮのリストである。
【０２５６】
Ｏｐｅｒａｔｏｒ  ＣＳＧ  ｌｉｓｔは、オペレータのみの制御の下に、許可されたＵＥが属するメンバーのＣＳＧ  ＩＤと関連付けられたＰＬＭＮのリストである。
【０２５７】
次に、図２１（ｂ）にＰＤＮコネクションごとのＵＥコンテキストを示す。図に示すように、ＰＤＮコネクションごとのＵＥコンテキストは、ＡＰＮ  ｉｎ  Ｕｓｅ、ＡＰＮ−ＡＭＢＲ、Ａｓｓｉｇｎｅｄ  ＰＤＮ  Ｔｙｐｅ、ＩＰ  Ａｄｄｒｅｓｓ、Ｄｅｆａｕｌｔ  Ｂｅａｒｅｒ、ＷＬＡＮ  ｏｆｆｌｏａｄａｂｉｌｉｔｙを含める。
【０２５８】
ＡＰＮ  ｉｎ  Ｕｓｅは、最近使用されたＡＰＮである。このＡＰＮは、ネットワークの識別情報と、デフォルトのオペレータの識別情報とで構成されてよい。
【０２５９】
ＡＰＮ−ＡＭＢＲは、Ｎｏｎ−ＧＢＲベアラ（非保障ベアラ）を共有するための上り通信及び下り通信のＭＢＲの最大値を示す。ＡＰＮ−ＡＭＢＲは、ＡＰＮごとに確立される。
【０２６０】
Ａｓｓｉｇｎｅｄ  ＰＤＮ  Ｔｙｐｅは、ネットワークから割り当てられたＰＤＮのタイプである。Ａｓｓｉｇｎｅｄ  ＰＤＮ  Ｔｙｐｅは、例えば、ＩＰｖ４や、ＩＰｖ６や、ＩＰｖ４ｖ６であってよい。
【０２６１】
ＩＰ  Ａｄｄｒｅｓｓは、ＰＤＮコネクションでＵＥに割り当てられたＩＰアドレスであり、ＩＰｖ４アドレス、またはＩＰｖ６  ｐｒｅｆｉｘであってよい。
【０２６２】
Ｄｅｆａｕｌｔ  Ｂｅａｒｅｒは、このＰＤＮコネクションでのデフォルトベアラを識別するＥＰＳベアラ識別情報である。
【０２６３】
ＷＬＡＮ  ｏｆｆｌｏａｄａｂｉｌｉｔｙは、このＰＤＮコネクションに関連付けられた通信はＷＬＡＮと３ＧＰＰ間のインターワーキング機能を用いてＷＬＡＮへオフロードすることを許可するか、または３ＧＰＰアクセスを維持するかどうかを示すＷＬＡＮオフロードの許可情報である。
【０２６４】
図２０（ｃ）は、ＵＥの記憶部で記憶されるベアラごとのＵＥコンテキストを示す。図に示すように、ベアラごとのＵＥコンテキストは、ＥＰＳ  Ｂｅａｒｅｒ  ＩＤ、ＴＩ、ＥＰＳ  ｂｅａｒｅｒ  ＱｏＳ、ＴＦＴを含める。
【０２６５】
ＥＰＳ  Ｂｅａｒｅｒ  ＩＤは、ベアラの識別情報である。ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０２６６】
［１．３．通信手続きの説明］
次に、本実施形態における通信手続きを説明する。まず、アタッチ手続きの例について説明する。
【０２６７】
［１．３．１．アタッチ手続き例］
以下、アタッチ手続きについて説明する。なお、アタッチ手続きはＵＥ＿Ａ１０が主導して開始する手続きであり、コアネットワーク＿Ａ９０に接続してＰＤＮコネクションを確立するための手続きである。ＵＥ＿Ａ１０がアタッチ手続きを開始するトリガは、端末電源投入時などであってもよい。また、これに関わらずＵＥ＿Ａ１０はコアネットワーク＿Ａ９０に接続していない状態であれば任意のタイミングで開始もよい。
【０２６８】
ここで、アタッチ手続きの詳細手順を説明する前に、重複説明を避けるために本手続きに用いる主要な識別情報を予め説明する。
【０２６９】
本実施形態における第１の識別情報は、ＵＥ＿Ａ１０が送信するＵＬ（Ｕｐ  Ｌｉｎｋ）ユーザデータ、又はＵＬユーザデータを含むＮＡＳ（Ｎｏｎ  Ａｃｃｅｓｓ  Ｓｔｒａｔｕｍ）メッセージを暗号化又は復号化するための情報である。
【０２７０】
より具体的には、第１の識別情報は、ｅＫＳＩ（eUTRAN Key Set Identifier）、Ｓ−ＴＭＳＩ（SAE Temporary Mobile Subscriber Identity）、暗号化アルゴリズムなどを一つ以上含む情報群であってよい。
【０２７１】
ここで、ＵＬユーザデータとは、ＵＥ＿Ａ１０が送信するユーザデータであり、アプリケーションデータであってよい。なお、ＵＬユーザデータは、ＰＤＮコネクションに対応づけられたＩＰアドレスを用いて送信するＩＰパケットに含まれてよい。本実施形態における、ＵＬユーザデータとは、アプリケーションデータ自体であってもよいし、アプリケーションデータを含むＩＰパケットであってもよい。
【０２７２】
本実施形態における第２の識別情報は、確立するＰＤＮコネクションが低頻度でスモールデータパケットを送信するマシン型通信を行うためのＰＤＮコネクションであることを示す情報である。
【０２７３】
より具体的には、第２の識別情報は、確立するＰＤＮコネクションが低頻度でスモールデータパケットを送信するマシン型通信を行うためのＰＤＮコネクションであることを示すＣｏｎｎｅｃｔｉｖｉｔｙ  Ｔｙｐｅであってよい。
【０２７４】
なお、スモールデータパケットとは、ＵＬユーザデータである。さらに、データサイズが小さいＵＬユーザデータを特別にスモールデータパケットとしてもよい。
【０２７５】
本実施形態における第３の識別情報は、低頻度でスモールデータパケットを送信するマシン型通信を行うためのＰＤＮコネクションの確立が許可されたＡＰＮ（Access Point Name）である。
【０２７６】
本実施形態における第４の識別情報は、コネクションレスの通信を行うことを示す識別情報であってよい。言い換えると、ＵＥ＿Ａ１０はアクティブモードへの遷移を行わず、アイドルモードへの遷移又はアイドルモードを維持することを示す情報であってよい。
【０２７７】
なお、Ｃ−ＳＧＮ＿Ａ９５又はＭＭＥ＿Ａ４０は、ＵＥ＿Ａ１０の状態を管理し、同期してよい。
【０２７８】
より具体的には、第４の識別情報は、ＲＲＣメッセージに含むフラグ、及び／又はＮＡＳメッセージに含むフラグであってよい。
【０２７９】
なお、本実施形態において、ＮＡＳメッセージとはＮＡＳプロトコルの制御メッセージのことを指す。
【０２８０】
また、本実施形態において、第１から第４の識別情報のうちの２つ以上の識別情報を同一の制御メッセージに含めて送信する場合には、各識別情報をそれぞれ含めて送信してもよいし、各識別情報が示す意味を併せ持つ一つの識別情報として制御メッセージにふくめてもよい。なお、識別情報は、フラグ又はパラメータとして構成される情報要素であってよい。
【０２８１】
また、本実施形態におけるコネクションレスの通信とは、ＵＥ＿Ａ１０がデータパケットを含むＮＡＳメッセージをＲＲＣメッセージに含めてｅＮＢ＿Ａ４５に送信する処理を少なくとも行う通信であってよい。及び、又は、ＲＲＣコネクションを確立することなくＵＥ＿Ａ１０とｅＮＢ＿Ａ４５との間でデータパケットの送受信を行う通信であってよい。及び、又は、ＵＥ＿Ａ１０がアイドル状態においてデータパケットの送受信を行う通信であってよい。
【０２８２】
以下、図２２を用いてアタッチ手続きの手順を説明する。
まず、ＵＥ１０＿Ａ１０はアタッチ要求メッセージをＣ−ＳＧＮ＿Ａ９５に送信する（Ｓ２２００）。なお、ＵＥ＿Ａ１０はアタッチ要求メッセージをｅＮＢ＿Ａ４５に送信し、送信されたアタッチ要求メッセージはｅＮＢ４５を介してＣ−ＳＧＮ＿Ａ９５に転送されてもよい。
【０２８３】
また、ＵＥ＿Ａ１０はＰＤＮ接続要求メッセージをアタッチ要求メッセージと共に送信してもよい。以下、本実施形態の説明では、アタッチ要求メッセージは、アタッチ要求メッセージ及びＰＤＮ接続要求メッセージを併せたものとして説明する。さらに、本実施形態の説明においてアタッチ要求メッセージに識別情報が含まれると表現した場合には、識別情報がアタッチ要求メッセージ及び／又はＰＤＮ接続要求メッセージに含まれることを意味する。
【０２８４】
ＵＥ＿Ａ１０は、すくなくとも第３の識別情報、及び／又は第４の識別情報をアタッチ要求メッセージ含めても良い。ＵＥ＿Ａ１０は、第３の識別情報を含めてアタッチ要求メッセージを送信することにより、低頻度でスモールデータパケットを送信するマシン型通信を行うためのＰＤＮコネクションの確立を要求してもよい。
【０２８５】
ここで、第３の識別情報、及び／又は第４の識別情報は、アタッチ要求メッセージに含めてＣ−ＳＧＮ＿Ａ９５に送信するのではなく、アタッチ手続き内でアタッチ要求とは異なる制御メッセージに含めて送信してもよい。
【０２８６】
例えば、アタッチ要求メッセージを送信したあと、ＵＥ＿Ａ１０はＥＳＭ（EPS Session Management）情報の要求と、要求に基づく応答を行う制御メッセージの送受信手続きを実行してもよい（Ｓ２２０２）。
【０２８７】
より詳細には、Ｃ−ＳＧＮ＿Ａ９５は、ＥＳＭ要求メッセージをＵＥ＿Ａ１０に送信する。ＵＥ＿Ａ１０は、ＥＳＭ要求メッセージを受信し、応答メッセージをＣ−ＳＧＮ＿Ａ９５に送信する。この際、ＵＥ＿Ａ１０は、第３の識別情報、及び／又は第４の識別情報を応答メッセージに含めて送信してもよい。
【０２８８】
ここで、ＵＥ＿Ａ１０は、ＥＳＭ応答メッセージを暗号化して送信してもよい。さらに、ＵＥ＿Ａ１０は、ＥＳＭ応答メッセージを暗号化する為の情報をＣ−ＳＧＮ＿Ａ９５から受信してもよい。Ｃ−ＳＧＮ＿Ａ９５は、アタッチ要求メッセージの受信に伴い、ＮＡＳメッセージを暗号化するための情報をＵＥ＿Ａ１０に送信してもよい。ここで、ＮＡＳメッセージを暗号化するための情報は第１の識別情報であってよい。なお、ＮＡＳメッセージを暗号化するための情報を送信するＮＡＳメッセージは、Ｓｅｃｕｒｉｔｙ  Ｍｏｄｅ  Ｃｏｍｍａｎｄメッセージであってよい。
【０２８９】
Ｃ−ＳＧＮ＿Ａ９５は、アタッチ要求メッセージを受信する。さらに、アタッチ要求メッセージの受信、又はＥＳＭ応答メッセージの受信に基づいて、第３の識別情報、及び／又は第４の識別情報を取得する。
【０２９０】
Ｃ−ＳＧＮ＿Ａ９５は、アタッチ要求メッセージに含まれる情報と、加入者情報とに基づいて、ＵＥ＿Ａ１０に対してＰＤＮコネクションを確立することを決定してもよい。また、第３の識別情報及び／又は第４の識別情報及び／又は加入者情報に基づいて、低頻度でスモールデータパケットを送信するマシン型通信を行うためのＰＤＮコネクションを確立することを決定してもよい。なお、頻度でスモールデータパケットを送信するマシン型通信を行うためのＰＤＮコネクションは、コネクションレスで通信を行うＰＤＮコネクションであってよい。
【０２９１】
このように、第３の識別情報及び／又は第４の識別情報の有無に基づいて、Ｃ−ＳＧＮ＿Ａ９５は、低頻度でスモールデータパケットを送信するマシン型通信を行うためのＰＤＮコネクションを確立するか、従来のＰＤＮコネクションを確立するかの承認と決定を行う。以下では、上述した承認、決定処理を第１の決定と表現して説明する。
【０２９２】
Ｃ−ＳＧＮ＿Ａ９５は、ＰＤＮコネクションを確立することを決定した場合には、ＩＰ−ＣＡＮセッション更新手続きを開始する（Ｓ２２０４）。ＩＰ−ＣＡＮセッション更新手続きは、従来手続きと同様であって良いため詳細説明を省略する。
【０２９３】
Ｃ−ＳＧＮ＿Ａ９５は、ＩＰ−ＣＡＮセッション更新手続きの完了に伴い、アタッチ受諾メッセージをｅＮＢ＿Ａ４５に送信する（Ｓ２２０６）。
【０２９４】
また、Ｃ−ＳＧＮ＿Ａ９５は、デフォルトＥＰＳベアラコンテキストアクティブ化要求メッセージをアタッチ受諾メッセージと共に送信してもよい。以下、本実施形態の説明では、アタッチ受諾メッセージは、アタッチ受諾メッセージ及びデフォルトＥＰＳベアラコンテキストアクティブ化要求メッセージを併せたものとして説明する。さらに、本実施形態の説明においてアタッチ受諾メッセージに識別情報が含まれると表現した場合には、識別情報がアタッチ受諾メッセージ及び／又はデフォルトＥＰＳベアラコンテキストアクティブ化要求メッセージに含まれることを意味する。
【０２９５】
Ｃ−ＳＧＮ＿Ａ９５は、少なくとも第２の識別情報、及び／又は第３の識別情報、及び／又は第４の識別情報をアタッチ受諾メッセージに含めても良い。
【０２９６】
なお、Ｃ−ＳＧＮ＿Ａ９５は、第１の決定に基づいたアタッチ受諾メッセージの送信に伴い、ＵＥ＿Ａ１０に対する接続状態をアイドルモードにしてもよい。言い換えれば、Ｃ−ＳＧＮ＿Ａ９５は低頻度でスモールデータパケットを送信するマシン型通信を行うためのＰＤＮコネクションを確立することに基づき、ＵＥ＿Ａ１０への接続状態をアイドルモードにしてもよい。また、Ｃ−ＳＧＮ＿Ａ９５従来のＰＤＮコネクションを確立するためのアタッチ受諾メッセージを送信する場合、メッセージの送信に伴いアクティブモードへ遷移してよい。
【０２９７】
ｅＮＢ＿Ａ４５は、アタッチ受諾メッセージを受信し、アタッチ受諾メッセージを含めたＲＲＣメッセージをＵＥ＿Ａ１０に送信する（Ｓ２２０８）。なお、ＲＲＣメッセージは、ＲＲＣコネクション再設定要求メッセージであって良い。
【０２９８】
ＵＥ＿Ａ１０は、アタッチ受諾メッセージを含むＲＲＣメッセージを受信する。さらに、第２の識別情報、及び／又は第３の識別情報、及び／又は第４の識別情報がアタッチ受諾メッセージに含まれている場合には、ＵＥ＿Ａ１０は各識別情報を取得する。
【０２９９】
ＵＥ＿Ａ１０は、アタッチ受諾メッセージの受信に基づいて、ＰＤＮコネクションを確立する。
【０３００】
ＵＥ＿Ａ１０は、第２の識別情報、及び／又は第３の識別情報、及び／又は第４の識別情報に基づいて、確立したＰＤＮコネクションが低頻度でスモールデータパケットを送信するマシン型通信を行うためのＰＤＮコネクションであることを認識、検出してもよい。及び／又は、ＵＥ＿Ａ１０は、第２の識別情報、及び／又は第３の識別情報、及び／又は第４の識別情報に基づいて、確立したＰＤＮコネクションがコネクションレスの通信を行うＰＤＮコネクションであることを認識、検出してもよい。以下では、上述した認識、決定処理を第２の決定と表現して説明する。
【０３０１】
さらに、受信したＲＲＣメッセージに応答するために、ＵＥ＿Ａ１０はＲＲＣメッセージをｅＮＢ＿Ａ４５に送信する（Ｓ２２１０）。ＲＲＣメッセージは、ＲＲＣコネクション再設定完了メッセージであってよい。
【０３０２】
ｅＮＢ＿Ａ４５は、ＲＲＣコネクション再設定メッセージを受信し、受信に基づいてベアラ設定メッセージをＣ−ＳＧＮ＿Ａ９５に送信する（Ｓ２２１２）。
【０３０３】
また、ＵＥ＿Ａ１０は、アタッチ受諾メッセージの受信に基づいて、アタッチ完了メッセージを含むＲＲＣメッセージをｅＮＢ＿Ａ４５に送信する（Ｓ２２１４）。
【０３０４】
また、ＵＥ＿Ａ１０はデフォルトＥＰＳベアラコンテキストアクティブ化受諾メッセージをアタッチ完了メッセージと共に送信してもよい。以下、本実施形態の説明では、アタッチ完了メッセージは、アタッチ完了メッセージ及びデフォルトＥＰＳベアラコンテキストアクティブ化受諾メッセージを併せたものとして説明する。さらに、本実施形態の説明においてアタッチ完了メッセージに識別情報が含まれると表現した場合には、識別情報がアタッチ完了メッセージ及び／又はデフォルトＥＰＳベアラコンテキストアクティブ化受諾メッセージに含まれることを意味する。
【０３０５】
なお、アタッチ完了メッセージを含めて送信するＲＲＣメッセージは、Ｄｉｒｅｃｔ  Ｔｒａｎｓｆｅｒメッセージであってよい。
【０３０６】
ｅＮＢ＿４５は、アタッチ完了メッセージが含まれるＲＲＣメッセージを受信し、アタッチ完了メッセージをＣ−ＳＧＮ＿Ａ９５に送信する（Ｓ２２１６）。
【０３０７】
また、ＵＥ＿Ａ１０は第２の決定に基づいて、アタッチ完了メッセージの送信に伴い、アイドルモードに遷移してもよい。
【０３０８】
もしくは、アタッチ完了メッセージを含めたＤｉｒｅｃｔ  Ｔｒａｎｓｆｅｒメッセージに対する応答としてｅＮＢ＿Ａ４５からＲＲＣメッセージを受信し、ＵＥ＿Ａ１０は第２の決定に基づいて、応答メッセージの受信に伴い、アイドルモードに遷移してもよい。
【０３０９】
より詳細な例としては、ＵＥ＿Ａ１０は、アタッチ完了メッセージ及び／又はＤｉｒｅｃｔ  Ｔｒａｎｓｆｅｒメッセージにアイドルモードに遷移することを示す識別情報を含めて送信してもよい。
【０３１０】
さらに、Ｄｉｒｅｃｔ  Ｔｒａｎｓｆｅｒメッセージを受信したｅＮＢ＿Ａ４５は、受信した識別情報に基づいて、応答となるＲＲＣメッセージをＵＥ＿Ａ１０に送信してもよい。このように、応答となるＲＲＣメッセージは、アイドルモードへの遷移を許可するためのメッセージであってよい。
【０３１１】
言いかえると、ＵＥ＿Ａ１０は、アイドルモードに遷移するかアクティブモードを維持するかを第２の決定に基づいて選択することができる。
【０３１２】
例えば、アタッチ受諾メッセージに含まれるＩＰアドレスを受信した場合には、ＵＥ＿Ａ１０はアイドルモードに遷移することができる。もしくは、アタッチ手続きが完了した後にステートレスアドレス設定手続き等によりＩＰｖ６プレフィックスを取得する必要がある場合には、ＵＥ＿Ａ１０はアクティブモードを維持することができる。その場合、ＵＥ＿Ａ１０はステートレスアドレス設定手続きを主導して実行し、ＩＰｖ６プレフィックスを取得することができる。さらに、ＩＰｖ６プレフィックスを用いてＩＰｖ６アドレスを生成、取得することができる。
【０３１３】
Ｃ−ＳＧＮ＿Ａ９５は、アタッチ完了メッセージの受信に基づき、ＵＥ＿Ａ１０に対する接続状態をアイドルモードに遷移してもよい。
【０３１４】
つまり、Ｃ−ＳＧＮ＿Ａ９５は、アタッチ受諾メッセージの送信、又は、アタッチ完了メッセージの受信に基づいて、ＵＥ＿Ａ１０の状態を、アイドルモードとして管理してよい。
【０３１５】
なお、ＵＥ＿Ａ１０は、アタッチ手続きによりは図２１で説明したＵＥコンテキストをコアネットワーク＿Ａ９０から取得し、記憶することができる。
【０３１６】
また、Ｃ−ＳＧＮ＿Ａ９５は、アタッチ手続きにより、図１９で説明したＡ〜Ｅの各コンテキストをＵＥ＿Ａ１０又はｅＮＢ＿Ａ４５又はＨＳＳ＿Ａ５０から取得し、記憶することができる。
【０３１７】
以上の手順により、ＵＥ＿Ａ１０はＰＤＮコネクションを確立し、アタッチ手続きを完了する。
【０３１８】
なお、上述したアタッチ手続き例におけるコアネットワーク＿Ａ９０は、図３を用いて説明したＣ−ＳＧＮ＿Ａ９５を含む構成のコアネットワークの場合のアタッチ手続きを説明したが、コアネットワーク＿Ａ９０は図２を用いて説明したようなＰＧＷ＿Ａ３０、ＳＧＷ＿Ａ３５、ＭＭＥ＿Ａ４０などを含んで構成されるものであってもよい。
【０３１９】
その場合、本手続きで説明したＵＥ＿Ａ１０が送信するアタッチ要求メッセージやアタッチ完了メッセージなどのＮＡＳメッセージは、Ｃ−ＳＧＮ＿Ａ９５ではなく、ＭＭＥ４５が受信する。
【０３２０】
したがって、これまで説明したＣ−ＳＧＮ＿Ａ９５のＮＡＳメッセージの受信及び処理は、ＭＭＥ＿Ａ４０が行うものとして置き換えることができる。
【０３２１】
さらに、これまで説明したＣ−ＳＧＮ＿Ａ９５のアタッチ受諾メッセージなどのＮＡＳメッセージの送信及び処理は、ＭＭＥ＿Ａ４０が行うものとして置き換えることができる。
【０３２２】
［１．３．２．ＵＬユーザデータ送信手続き例］
次に、ＰＤＮコネクションを確立したＵＥ＿Ａ１０がＵＬユーザデータを送信する手順を説明する。ここで、詳細手順を説明する前に、重複説明を避けるために本手続きに用いる主要な識別情報を予め説明する。
【０３２３】
本実施形態における第５の識別情報は、低頻度でスモールデータパケットを送信するマシン型通信を行うこと示す情報である。
より具体的には、第５の識別情報は、低頻度でスモールデータパケットを送信するマシン型通信を行うこと示すＥｓｔａｂｌｉｓｈｍｅｎｔ  Ｃａｕｓｅであってよい。
【０３２４】
本実施形態における第６の識別情報は、コネクションレスの通信を行うことを示す識別情報である。言い換えると、アクティブモードへの遷移を行わず、アイドルモードへの遷移又はアイドルモードを維持することを示す情報であってよい。例えば、第６の識別情報は、コネクションレスの通信を行うモードを示す、モードの識別する情報であってよい。また、第６の識別情報は、第４の識別情報と同じ識別情報であってよい。
【０３２５】
なお、第６の識別情報は、ＲＲＣメッセージに含むフラグや、ＲＲＣメッセージヘッダに含むパラメータであってよい。
【０３２６】
本実施形態における第７の識別情報は、スモールデータパケットを含むＮＡＳメッセージをＲＲＣメッセージに含むことを示す情報である。
【０３２７】
なお、第７の識別情報は、ＲＲＣメッセージに含むフラグや、ＲＲＣメッセージヘッダに含むパラメータであってよい。より具体的には、第７の識別情報は、第７の識別情報が含まれたＲＲＣメッセージに、ＮＡＳメッセージが含まれていることを示す識別情報である。さらに、ＮＡＳメッセージは、ＵＬユーザデータが含まれたＮＡＳメッセージであってよい。そのため、第７の識別情報は、第７の識別情報が含まれたＲＲＣメッセージに、ＵＬユーザデータが含まれたＮＡＳメッセージが含まれていることを示す識別情報であってよい。言い換えると、第７の識別情報は、ＲＲＣのＳＲＢ１（Signaling Radio Bearer 1）確立前に、ＮＡＳメッセージをＲＲＣメッセージにピギーバックして送信していること示す情報である。なお、ＳＲＢ１は、ＳＲＢ２を確立する前にＮＡＳメッセージとＲＲＣメッセージに対してつかわれる無線ベアラである。また、ＳＲＢ２はセキュリティアクティベーションの後に設定される。
【０３２８】
本実施形態における第８の識別情報は、スモールデータパケットを含むＮＡＳメッセージの送信を完了することを示す情報である。
【０３２９】
なお、第８の識別情報は、ＲＲＣメッセージに含むフラグや、ＲＲＣメッセージヘッダに含むパラメータであってよい。
【０３３０】
本実施形態における第９の識別情報は、スモールデータパケットを含むＮＡＳメッセージの送信を未完了することを示す情報である。言い換えると、第９の識別情報は、スモールデータパケットを含むＮＡＳメッセージの送信を再度実行することを示す情報である。
【０３３１】
なお、第９の識別情報は、ＲＲＣメッセージに含むフラグや、ＲＲＣメッセージヘッダに含むパラメータであってよい。
【０３３２】
本実施形態における第１０の識別情報は、ＮＡＳメッセージをＲＲＣメッセージに含めて送信することを示す情報である。なお、ＲＲＣメッセージは、ＲＲＣ  Ｃｏｎｎｅｃｔｉｏｎ  Ｒｅｑｕｅｓｔメッセージであってよい。言い換えると、第１０の識別情報は、ＲＲＣの接続完了前にＮＡＳメッセージの送信が実行されることを示す情報である。言い換えると、第１０の識別情報は、ＲＲＣのＳＲＢ１（Signaling Radio Bearer 1）確立前に、ＮＡＳメッセージをＲＲＣメッセージにピギーバックして送信することを示す情報である。ＳＲＢ１は、ＳＲＢ２を確立する前にＮＡＳメッセージとＲＲＣメッセージに対してつかわれる無線ベアラである。ＳＲＢ２はセキュリティアクティベーションの後に設定される。
【０３３３】
なお、第１０の識別情報は、ＲＲＣメッセージに含むフラグや、ＲＲＣメッセージヘッダに含むパラメータであってよい。
【０３３４】
また、本実施形態において、第１から第１０の識別情報のうちの２つ以上の識別情報を同一の制御メッセージに含めて送信する場合には、各識別情報をそれぞれ含めて送信してもよいし、各識別情報が示す意味を併せ持つ一つの識別情報として制御メッセージにふくめてもよい。なお、識別情報は、フラグ又はパラメータとして構成される情報要素であってよい。また、ＮＡＳレイヤでの第１から第４のいずれかまたは複数の識別情報の決定に基づいて、第５から第１０の識別情報のいずれかまたは複数をＮＡＳレイヤで決定し、ＮＡＳレイヤから第５から第１０の識別情報のいずれかまたは複数をＲＲＣレイヤに提供するようにしてもよい。
【０３３５】
以下、図２３を用いてのＵＬユーザデータの送信手順を説明する。
ＵＥ＿Ａ１０は、第１のメッセージをｅＮＢ＿Ａ４５に送信する。第１のメッセージは、少なくとも送信タイミング情報と、リソース割り当て情報を要求するためのメッセージであり、ＵＥ＿Ａ１０は、少なくともランダムに選択したプリアンブルを含めてｅＮＢ＿Ａ４５に送信する（Ｓ２３００）。
【０３３６】
なお、第１のメッセージは、Ｐｈｙｓｉｃａｌ層の制御信号であり、Ｍｅｓｓａｇｅ１のＲＡＣＨ(Randam Access Channel)  Ｐｒｅａｍｂｌｅメッセージであって良い。第１のメッセージは、ＰＲＡＣＨ(Phycisal Random Access Channel)を用いて送信されてもよい。
【０３３７】
なお、ＵＥ＿Ａ１０は、コネクションレスの通信を行うことを検出、決定、及び／又は、ＵＬユーザデータを含むＮＡＳメッセージをＲＲＣメッセージに含めて送信することを検出、決定する。ＵＥ＿Ａ１０は、第２の決定に基づいてこれらの検出、及び決定してもよい。以下では、コネクションレスの通信を行うこと及び／又はーザデータを含むＮＡＳメッセージをＲＲＣメッセージに含めて送信すること検出、決定したことを第３の決定と表現して説明する。
【０３３８】
ＵＥ＿Ａ１０は、少なくとも第５の識別情報、及び／又は第６の識別情報及び／又は第１０の識別情報を第１のメッセージに含めて送信してもよい。なお、ＵＥ＿Ａ１０は、第３の決定に基づいて第５の識別情報、及び／又は第６の識別情報、及び／又は第１０の識別情報を第１のメッセージに含めてもよい。
【０３３９】
このように、ＵＥ＿Ａ１０は少なくとも第５の識別情報、及び／又は第６の識別情報を第１のメッセージに含めて送信することにより、コネクションレスの通信を行うことを要求してもよい。または、ＵＥ＿Ａ１０、第５の識別情報、及び／又は第６の識別情報、及び／又は第１０の識別情報を第１のメッセージに含めて送信することにより、ＵＬユーザデータを含むＮＡＳメッセージをＲＲＣメッセージに含めて送信するための、送信タイミング情報と、リソース割り当て情報を要求してもよい。
【０３４０】
ｅＮＢ＿Ａ４５は、第１のメッセージを受信し、第１のメッセージの応答として第２のメッセージをＵＥ＿Ａ１０に送信する（Ｓ２３０２）。第２のメッセージには、少なくとも送信タイミング情報と、リソース割り当て情報を含めて送信する。より具体的には、送信タイミング情報はＴｉｍｉｎｇ  Ａｄｖａｎｃｅであり、リソース割り当て情報はＵＬ  Ｇｒａｎｔであってよい。第２のメッセージは、ＭＡＣ(Media Access Control)層の制御信号であり、ＭＡＣ  ＲＡＲ(Medium Access Control Random Access Response)を用いて送信されてもよい。
【０３４１】
また、ｅＮＢ＿Ａ４５は、第５の識別情報、及び／又は第６の識別情報を受信した場合には、ＵＥ＿Ａ１０がＵＬユーザデータを含むＮＡＳメッセージをＲＲＣメッセージに含めて送信するための送信タイミング情報と、リソース割り当て情報を第２のメッセージに含めて送信してもよい。
【０３４２】
なお、第２のメッセージは、Ｍｅｓｓａｇｅ２のＲＡＣＨ  Ｒｅｓｐｏｎｓｅメッセージであって良い。
【０３４３】
ＵＥ＿Ａ１０が第２のメッセージを受信した後の通信手続きは、後述する第１の通信手続き例と第２の通信手続き例に分岐することができる（Ｓ２３０４）。第１の通信手続き例は、コネクションレスによる通信を行うための手続きであり、第２の通信手続き例は、コネクションを確立して通信を行う手続きである。
【０３４４】
第１の通信手続き例又は第２の通信手続き例に分岐するための条件は、以下のように決定しても良い。
【０３４５】
ＵＥ＿Ａ１０は、第３の決定に基づいて、第１の通信手続き例に分岐してもよい。もしくは、ＵＥ＿Ａ１０は、第２のメッセージによってＵＬユーザデータを含むＮＡＳメッセージをＲＲＣメッセージに含めて送信するための送信タイミング情報と、リソース割り当て情報の受信した場合には、第１の通信手続き例に分岐してもよい。
【０３４６】
さらに、ＵＥ＿Ａ１０は、これらの場合以外には、第２の通信手続き例に分岐してもよい。
【０３４７】
［１．３．２．１．第１の通信手続き例の説明］
以下、第１の通信手続き例の詳細を、図２４を用いて説明する。
ＵＥ＿Ａ１０は、第２のメッセージをｅＮＢ＿Ａ４５から受信し、第３のメッセージをｅＮＢ＿Ａ４５に送信する（Ｓ２４００）。
【０３４８】
ＵＥ＿Ａ１０は、第３の決定に基づいて、ＵＬユーザデータを含めたＮＡＳメッセージを第３のメッセージに含めて送信してもよい。もしくは、第２のメッセージによってＵＬユーザデータを含むＮＡＳメッセージをＲＲＣメッセージに含めて送信するための送信タイミング情報と、リソース割り当て情報の受信した場合には、ＵＬユーザデータを含めたＮＡＳメッセージを第３のメッセージに含めて送信してもよい。
【０３４９】
なお、ＵＬユーザデータ、又はＵＬユーザデータを含めたＮＡＳメッセージは、第１の識別情報を用いて暗号化してもよい。
【０３５０】
さらに、ＵＬユーザデータを含めたＮＡＳメッセージを第３のメッセージに含める場合には、ＵＥ＿Ａ１０は、少なくとも第５の識別情報、及び／又は第６の識別情報、及び／又は第７の識別情報、及び／又は第１０の識別情報をさらに第３のメッセージに含めて送信してもよい。
【０３５１】
また、ＵＥ＿Ａ１０は、送信すべきＵＬユーザデータを全てＮＡＳメッセージに含めることができた場合には、第８の識別情報を第３のメッセージに含めて送信し、ＵＬユーザデータの送信が完了したことを通知してもよい。
【０３５２】
もしくは、ＵＥ＿Ａ１０は、送信すべきＵＬユーザデータを残している場合には、第９の識別情報を第３のメッセージに含めて送信し、ＵＬユーザデータの送信が未完了であり、再度送信を行うことを通知してもよい。
【０３５３】
また送信すべきデータの有無の判断は、送信すべきＵＬユーザデータを蓄積するバッファのデータ残量等から判断してもよい。
【０３５４】
また、第３のメッセージは、ＲＲＣメッセージであり、Ｍｅｓｓａｇｅ３のＲＲＣ  Ｃｏｎｎｅｃｔｉｏｎ  Ｒｅｑｕｅｓｔメッセージであってよい。それにかぎらず、ＵＬユーザデータが含まれたＮＡＳメッセージを含むＲＲＣメッセージであればよい。例えば、ＵＬユーザデータが含まれたＮＡＳメッセージを含むメッセージタイプで識別可能なＲＲＣメッセージであってもよい。
【０３５５】
なお、本実施形態において、ＲＲＣメッセージとはＲＲＣ（Ｒａｄｉｏ  Ｒｅｓｏｕｒｃｅ  Ｃｏｎｔｒｏｌ）プロトコルの制御メッセージのことを示す。
【０３５６】
ｅＮＢ＿Ａ４５は、第３のメッセージを受信する。ｅＮＢ＿Ａ４５は、少なくともＵＬユーザデータが含まれたＮＡＳメッセージを含めてＳ１ＡＰ（Ｓ１  Ａｐｐｌｉｃａｔｉｏｎ  Ｐｒｏｔｏｃｏｌ）のＩｎｉｔｉａｌ  ＵＥメッセージをＣ−ＳＧＮ＿Ａ９５に送信してもよい（Ｓ２４０６）。
【０３５７】
ここで、ｅＮＢ＿Ａ４５が、第１のメッセージに含まれる第５の識別情報、及び／又は第６の識別情報を受信した場合には、ＵＬユーザデータが含まれたＮＡＳメッセージを含めてもよい。
【０３５８】
もしくは、第３のメッセージに含まれる第５〜第９の識別情報のうちのいずれか一つ以上の識別情報を受信した場合には、ＵＬユーザデータが含まれたＮＡＳメッセージを含めてもよい。また、それら以外の場合には、後述する第２の通信手続き例で説明する第４のメッセージをＵＥ＿Ａ１０に送信してもよい。
【０３５９】
Ｃ−ＳＧＮ＿Ａ９５は、Ｉｎｉｔｉａｌ  ＵＥメッセージを受信し、ＮＡＳメッセージを確認し、復号化を行う（Ｓ２４１０）。
【０３６０】
さらに、Ｃ−ＳＧＮ＿Ａ９５は、復号化したＵＬユーザデータ（Ｄｅｃｒｉｐｔｅｄ  Ｄａｔａ）をＰＤＮ＿Ａ５に送信する（Ｓ２４１２）。例えば、ＰＤＮ＿Ａ５に配置されたアプリケーションサーバに向けて送信する。
【０３６１】
以上の手続きにより、ＵＥ＿Ａ１０はＵＬユーザデータであるスモールデータパケットをＰＤＮ＿Ａ５に送信することができる。また、ＵＥ＿Ａ１０は、ＵＬユーザデータを含めたＮＡＳメッセージを、第３のメッセージに含めて送信した場合には、第３のメッセージの送信に基づいて、アイドルモードに遷移してもよい。
【０３６２】
もしくは、ｅＮＢ＿Ａ４５が送信する第３のメッセージに対する応答として、完了メッセージを受信し、完了メッセージの受信に基づいて、アイドルモードに遷移してもよい（Ｓ２４０８）。
【０３６３】
このように、ｅＮＢ＿Ａ４５は第３のメッセージの受信に基づいて、ＵＥ＿Ａ１０に完了メッセージを送信してもよい。
【０３６４】
なお、完了メッセージは、ＲＲＣプロトコルの制御メッセージであり、ＵＥ＿Ａ１０をアイドルモードに遷移させるためのメッセージであってよく、ＲＲＣ具体的にはＲＲＣコネクション確立をリジェクトするＲＲＣメッセージや、ＲＲＣコネクションリリースメッセージであってよい。
【０３６５】
なお、ｅＮＢ＿Ａ４５は、第１のメッセージに含まれる第５の識別情報、及び／又は第６の識別情報を受信したことに基づいて、第３のメッセージの受信に対して完了メッセージを送信してもよい。
【０３６６】
なお、ｅＮＢ＿Ａ４５は、第３のメッセージに含まれる第５〜第８の識別情報のうちのいずれか一つ以上の識別情報を受信したことに基づいて、第３のメッセージの受信に対して完了メッセージを送信してもよい。
【０３６７】
なお、ｅＮＢ＿Ａ４５は、第３のメッセージに含まれるＵＬユーザデータを含むＮＡＳメッセージを受信したことに基づいて、第３のメッセージの受信に対して完了メッセージを送信してもよい。
【０３６８】
このように、第１の通信手続き例が完了後、ＵＥ＿Ａ１０はアイドル状態でいることができる。
【０３６９】
また、ＵＥ＿Ａ１０は、第３のメッセージの送信後、ただちにアイドルモードに遷移するのではなく、図２４のＳ２４０に示すように、続けてＵＬユーザデータをｅＮＢ＿Ａ４５に送信する手続きを実行してもよい。
【０３７０】
以下では、図２４のＳ２４０を用いて、ＵＥ＿Ａ１０が連続してＵＬユーザデータを送信する手順を説明する。
【０３７１】
ｅＮＢ＿Ａ４５は、第３のメッセージの受信後、直ちに完了メッセージを送信せず、続けてＵＥ＿Ａ１０から送信されるＲＲＣメッセージをまってもよい。より具体的には、ｅＮＢ＿Ａ４５は、第９の識別情報を受信した場合には、直ちに完了メッセージを送信せず、続けてＵＥ＿Ａ１０から送信されるＲＲＣメッセージをまってもよい。
【０３７２】
ＵＥ＿Ａ１０は、第９の識別情報を含めて第３のメッセージを送信した場合には、アイドルモードに遷移せず、第３のメッセージの送信につづけて、新たなＵＬユーザデータを含むＮＡＳメッセージを含めてＲＲＣメッセージをｅＮＢ＿Ａ４５に送信してもよい（Ｓ２４０４）。
【０３７３】
より具体的には、ＵＥ＿Ａ１０は、送信すべきＵＬユーザデータを全てＮＡＳメッセージに含めることができた場合には、第８の識別情報を第３のメッセージに含めて送信し、ＵＬユーザデータの送信が完了したことを通知してもよい。さらに、ＵＥ＿Ａ１０は、送信すべきＵＬユーザデータを残している場合には、第９の識別情報を第３のメッセージに含めて送信し、ＵＬユーザデータの送信が未完了であり、再度送信を行うことを通知してもよい。
【０３７４】
また送信すべきデータの有無の判断は、送信すべきＵＬユーザデータを蓄積するバッファのデータ残量等から判断してもよい。
【０３７５】
なお、新たなＵＬユーザデータを含むＮＡＳメッセージを含めたＲＲＣメッセージの送信方法及び各識別情報の付与は、第３のメッセージに対する処理と同様であってよい。ＵＥ＿Ａ１０は、送信すべきデータがなくなるまで同様の処理でＵＬユーザデータを含むＮＡＳメッセージを含めてＲＲＣメッセージを送信し続けても良い。
【０３７６】
また、ＵＬユーザデータを含むＮＡＳメッセージは、ＲＲＣメッセージであり、Ｍｅａａｇｅ３のＲＲＣ  Ｃｏｎｎｅｃｔｉｏｎ  Ｒｅｑｕｅｓｔメッセージであってよい。それにかぎらず、ＵＬユーザデータが含まれたＮＡＳメッセージを含むＲＲＣメッセージであればよい。例えば、ＵＬユーザデータが含まれたＮＡＳメッセージを含むメッセージタイプで識別可能なＲＲＣメッセージであってもよい。
【０３７７】
また、上記の例では、ＵＥ＿Ａ１０は第３のメッセージの送信後、直ちにＮＡＳメッセージを含むＲＲＣメッセージを送信する例を説明したが、これにかぎらず、ＵＥ＿Ａ１０は、第３のメッセージの送信後、ｅＮＢ＿Ａ４５から応答メッセージを受信してもよい（Ｓ２４０２）。ＵＥ＿Ａ１０は、応答メッセージの受信に基づいて、ＮＡＳメッセージを含むＲＲＣメッセージを送信してもよい。
【０３７８】
なお、ｅＮＢ＿Ａ４５は、第９の識別情報が第３のメッセージに含まれている場合には、完了メッセージではなく応答メッセージを送信してもよい。
【０３７９】
なお、応答メッセージは、ＲＲＣメッセージであり、ＵＬユーザデータを含んだＮＡＳメッセージを含むＲＲＣメッセージを受信してもよいことを示すメッセージであってよい。
【０３８０】
このように、ｅＮＢ＿Ａ４５は、第８の識別情報を受信した場合には完了メッセージをＵＥ＿Ａ１０に送信し、第９の識別情報を受信した場合には、応答メッセージを送信してもよい。さらに、ＵＥ＿Ａ１０は、ｅＮＢ＿Ａ４５が送信する応答メッセージの受信に基づいて、ＵＬユーザデータを含むＮＡＳメッセージを含めてＲＲＣメッセージを送信してもよい。
【０３８１】
図２４のＳ２４０を用いて説明した送信手続きは、ＵＥ＿Ａ１０によるＵＬユーザデータの送信が完了するまで繰り返して継続してもよい。なお、最終のＵＬユーザデータの送信時には、ＲＲＣメッセージには少なくとも第８の識別情報を含めて送信する。  さらに、ＵＥ＿Ａ１０は送信すべきユーザデータの送信を完了した場合には、アイドルモードに遷移してもよい。
【０３８２】
もしくは、ＵＥ＿Ａ１０をアイドルモードに遷移させるためのメッセージをｅＮＢ＿Ａ４５から受信した場合には、アイドルモードに遷移する。具体的にはＲＲＣコネクション確立をリジェクトするＲＲＣメッセージや、ＲＲＣコネクションリリースメッセージの受信により、アイドルモードに遷移してもよい。
【０３８３】
ｅＮＢ＿Ａ４５は、第８の識別情報と、ＵＬユーザデータを含むＮＡＳメッセージとを含めたＲＲＣメッセージを受信した場合には、こうしたアイドルモードに遷移させるためのメッセージをＵＥ＿Ａ１０に送信してもよい。
【０３８４】
さらに、ｅＮＢ＿Ａ４５は、第３のメッセージやそれに続きＲＲＣメッセージを受信する度に、ＵＬユーザデータが含まれたＮＡＳメッセージを含めてＳ１ＡＰ（Ｓ１  Ａｐｐｌｉｃａｔｉｏｎ  Ｐｒｏｔｏｃｏｌ）のＩｎｉｔｉａｌ  ＵＥメッセージをＣ−ＳＧＮ＿Ａ９５に送信するのではなく、第８の識別情報が含まれるＲＲＣメッセージを受信するまでＵＬユーザデータを含むＮＡＳメッセージを蓄積し、複数のＮＡＳメッセージを一つのＳ１ＡＰ（Ｓ１  Ａｐｐｌｉｃａｔｉｏｎ  Ｐｒｏｔｏｃｏｌ）のＩｎｉｔｉａｌ  ＵＥメッセージに含めてＣ−ＳＧＮ＿Ａ９５に送信してもよい。
【０３８５】
言いかえると、ＵＬユーザデータを含むＮＡＳメッセージが含まれたＲＲＣメッセージに第８の識別情報が含まれていない場合、及び／又は、ＵＬユーザデータを含むＮＡＳメッセージが含まれたＲＲＣメッセージに第９の識別情報が含まれている場合には、ＵＬユーザデータを含むＮＡＳメッセージを複数蓄積しつづけてよい。さらに、第８の識別情報が含まれたＲＲＣメッセージを受信した場合、及び／又は、ＵＬユーザデータを含むＮＡＳメッセージが含まれたＲＲＣメッセージに第９の識別情報が含まれていない場合には、ＵＬユーザデータを含むＮＡＳメッセージをすべて含めてＩｎｉｔｉａｌ  ＵＥメッセージを送信してもよい。
【０３８６】
以上の手続きにより、ＵＥ＿Ａ１０はＵＬユーザデータであるスモールデータパケットをＰＤＮ＿Ａ５に送信することができる。さらに、第１の通信手続き例が完了後、ＵＥ＿Ａ１０はアイドル状態に遷移又はアイドル状態を維持することができる。
【０３８７】
［１．３．２．２．第２の通信手続き例の説明］
以下、第２の通信手続き例の詳細を、図５を用いて説明する。
【０３８８】
ＵＥ＿Ａ１０は、第２のメッセージをｅＮＢ＿Ａ４５から受信し、第３のメッセージをｅＮＢ＿Ａ４５に送信する（Ｓ２５００）。
【０３８９】
ＵＥ＿Ａ１０は、ＵＬユーザデータを含めたＮＡＳメッセージを含めずに第３のメッセージを送信する。
【０３９０】
なお、ＵＥ＿Ａ１０は、第１の通信手続き例で説明した第３のメッセージの送信時にＵＬユーザデータを含めたＮＡＳメッセージを含めるための条件にマッチしない場合には、ＵＬユーザデータを含めたＮＡＳメッセージを含めずに第３のメッセージを送信してもよい。  ｅＮＢ＿Ａ４５は、第４のメッセージをＵＥ＿Ａ１０に送信する（Ｓ２５０２）。第４のメッセージには、少なくともＲＲＣ接続のための制御情報を含めて送信する。
【０３９１】
なお、第４のメッセージは、ＲＲＣメッセージであり、Ｍｅｓｓａｇｅ４のＲＲＣ  Ｃｏｎｎｅｃｔｉｏｎ  Ｓｅｔｕｐメッセージであってよい。
【０３９２】
なお、ｅＮＢ＿Ａ４５は、第３のメッセージにＵＬユーザデータを含めたＮＡＳメッセージが含まれていないことに基づいて、第４のメッセージをＵＥ＿Ａ１０に送信してもよい。
【０３９３】
ＵＥ＿Ａ１０は、第４のメッセージを受信し、第５のメッセージを送信する（Ｓ２５０４）。ＵＥ＿Ａ１０は、第５のメッセージにＮＡＳサービスリクエストメッセージを含めて送信する。ＮＡＳサービスリクエストメッセージとは、ＮＡＳメッセージであり、ＵＥ＿Ａ１０をアクティブモードに遷移することをＣ−ＳＧＮ＿Ａ９５に対して要求するための制御メッセージである。
【０３９４】
ＵＥ＿Ａ１０は、第４のメッセージの受信、又は第５のメッセージの送信に基づいて、ＵＥ＿Ａ１０は、アクティブモードに遷移する。言い換えると、ＵＥ＿Ａ１０は第４のメッセージの受信、又は第５のメッセージの送信に基づいて、ＲＲＣコネクションを確立する。
【０３９５】
なお、第５のメッセージは、ＲＲＣメッセージであり、Ｍｅｓｓａｇｅ５のＲＲＣ  Ｃｏｎｎｅｃｔｉｏｎ  Ｓｅｔｕｐ  Ｃｏｍｐｌｅｔｅメッセージであってよい。
【０３９６】
ｅＮＢ＿Ａ４５は、第４のメッセージを受信し、ＮＡＳサービスリクエストメッセージを含めてのＩｎｉｔｉａｌ  ＵＥメッセージをＣ−ＳＧＮ＿Ａ９５に送信する（Ｓ２５０６）。
【０３９７】
その後、ＵＥ＿Ａ１０は、コネクションを用いてＵＬユーザデータを送信することができる。なお、ＵＬユーザデータはｅＮＢ＿Ａ４５，Ｃ−ＳＧＮ＿Ａ９５を介してＰＤＮ＿Ａ５に送信することができる（Ｓ２５０８，Ｓ２５１０，Ｓ２５１２）。
【０３９８】
さらに、ＵＥ＿Ａ１０は、コネクションを用いてＤＬ（ＤｏｗｎＬｉｎｋ）ユーザデータも受信することができる。なお、ＤＬユーザデータは，ＰＤＮ＿Ａ５から送信され、Ｃ−ＳＧＮ＿Ａ９５、ｅＮＢ＿Ａ４５を介して受信するができる。
【０３９９】
［２．変形例］
本発明に関わる移動局装置及び基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０４００】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における移動局装置及び基地局装置の一部、または全部を典型的には集積回路であるＬＳＩとして実現してもよい。移動局装置及び基地局装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０４０１】
１  通信システム
５  ＰＤＮ＿Ａ
１０  ＵＥ＿Ａ
２０  ＵＴＲＡＮ＿Ａ
２２  ｅＮＢ（ＵＴＲＡＮ）＿Ａ
２４  ＲＮＣ＿Ａ
２５  ＧＥＲＡＮ＿Ａ
２６  ＢＳＳ＿Ａ
３０  ＰＧＷ＿Ａ
３５  ＳＧＷ＿Ａ
４０  ＭＭＥ＿Ａ
４５  ｅＮＢ＿Ａ
５０  ＨＳＳ＿Ａ
５５  ＡＡＡ＿Ａ
６０  ＰＣＲＦ＿Ａ
６５  ｅＰＤＧ＿Ａ
７０  ＷＬＡＮ  ＡＮａ
７２  ＷＬＡＮ  ＡＰａ
７４  ＴＷＡＧ＿Ａ
７５  ＷＬＡＮ  ＡＮｂ
７６  ＷＬＡＮ  ＡＰｂ
８０  ＬＴＥ  ＡＮ＿Ａ
９０  コアネットワーク＿Ａ
９５  Ｃ−ＳＧＮ＿Ａ
１００  ＣＩＯＴ  ＡＮ＿Ａ
【図１】
2017026465.tif 000003
【図２】
2017026465.tif 000004
【図３】
2017026465.tif 000005
【図４】
2017026465.tif 000006
【図５】
2017026465.tif 000007
【図６】
2017026465.tif 000008
【図７】
2017026465.tif 000009
【図８】
2017026465.tif 000010
【図９】
2017026465.tif 000011
【図１０】
2017026465.tif 000012
【図１１】
2017026465.tif 000013
【図１２】
2017026465.tif 000014
【図１３】
2017026465.tif 000015
【図１４】
2017026465.tif 000016
【図１５】
2017026465.tif 000017
【図１６】
2017026465.tif 000018
【図１７】
2017026465.tif 000019
【図１８】
2017026465.tif 000020
【図１９】
2017026465.tif 000021
【図２０】
2017026465.tif 000022
【図２１】
2017026465.tif 000023
【図２２】
2017026465.tif 000024
【図２３】
2017026465.tif 000025
【図２４】
2017026465.tif 000026
【国際調査報告】
2017026465.tif 000027
2017026465.tif 000028
2017026465.tif 000029
2017026465.tif 000030